(57)【特許請求の範囲】
【請求項１】
遊技領域が形成された遊技盤と、
前記遊技領域の所定位置に設けられた始動口と、
前記遊技領域の所定位置において開放可能に設けられた大入賞口と、
前記始動口への入球を契機として、通常遊技より遊技者に有利な状態である特別遊技へ移行するか否かを判定するための当否抽選を実行する当否抽選手段と、
前記当否抽選の結果が大当りとなった場合、前記大入賞口を開放する前記特別遊技を実行する特別遊技制御手段と、
前記当否抽選の結果を示すための図柄が変動表示される図柄表示装置と、
前記当否抽選の結果を所定の保留個数を上限にその当否抽選に対応する図柄変動の表示開始まで保留する保留制御手段と、
演出内容を定めた演出パターンを保持する演出記憶手段と、
前記当否抽選の結果に応じて演出内容を決定し、その演出内容を所定の演出出力装置を介して遊技者へ提示する演出決定手段と、
遊技者による操作入力を受け付ける操作入力手段と、
を備え、
前記演出記憶手段が保持する演出パターンには、複数の選択肢を遊技者へ提示して前記操作入力手段を介した特定の選択肢の選択を促す演出であって遊技者の選択結果が正解の場合に遊技者へ利益がもたらされることを示唆する選択演出と、前記特別遊技終了後の通常遊技において図柄変動回数が前記所定の保留個数以内に大当りとなることを遊技者へ報知する報知演出とが含まれ、
前記当否抽選手段は、前記始動口への入球があったときに、その入球に対応する図柄変動の表示が直ちに開始されるか否かにかかわらず、その入球に対応する当否抽選の結果を前記演出決定手段へ通知し、
前記演出決定手段は、
前記特別遊技の実行中に、前記特別遊技終了後の通常遊技において図柄変動回数が前記所定の保留個数以内の期間に大当りとなるか否かに応じて前記選択演出における正否条件を決定して前記選択演出を遊技者へ提示し、
前記選択演出に対する遊技者の選択結果が前記正否条件にもとづき正解である場合に前記報知演出を遊技者へ提示する一方、前記遊技者の選択結果が不正解の場合は、前記特別遊技終了後の通常遊技において図柄変動回数が前記所定の保留個数以内に大当りとなる場合であっても前記報知演出の提示を抑制し、
前記演出決定手段は、前記特別遊技終了後の通常遊技における前記期間に遊技者の利益が相対的に大きい大当りが発生する場合、前記特別遊技の実行中に前記報知演出を提示し得る一方、前記特別遊技終了後の通常遊技における前記期間に遊技者の利益が相対的に小さい大当りが発生する場合、前記特別遊技の実行中に前記報知演出を提示しないことを特徴とする弾球遊技機。
【発明の詳細な説明】
【技術分野】
【０００１】
遊技機に関する。
【背景技術】
【０００２】
従来、各種の弾球遊技機のうち、いわゆる第１種ぱちんこ遊技機と呼ばれていた遊技機は、遊技盤の略中央に設けられた液晶ディスプレイなどの表示領域に複数の図柄を変動させながら表示する（以下、そうした表示を「図柄変動」または「変動表示」等という）。この遊技機は、複数列の図柄変動を停止させたときの図柄の組合せが特定の態様となった場合に、通常遊技より多くの賞球が得られる、いわゆる大当りと呼ばれる特別遊技へと移行するものとして知られている（例えば特許文献１参照）。表示領域における図柄の変動表示は、単に複数の図柄が変動表示されるだけでなく、いわゆるリーチ画面と呼ばれる状態のように、あと一つ図柄が揃えば大当りとなる状態で変動表示の時間を通常よりも長くする等、遊技者の期待感を高めるための演出が図られている。また、キャラクタ画像や背景画像等を用いて図柄の変動表示にストーリーを持たせる演出を施したり、大当りの獲得容易性を高める特定遊技として、確率変動（以下「確変」ともいう）および変動時間短縮（以下「時短」ともいう）、始動入賞口への入球容易性を高める入球容易状態へ移行したりする制御によっても遊技者の期待感を高めている。
【０００３】
また以下の特許文献２では、あたかも確変を自らの操作で獲得したような感覚を遊技者に感じさせるために、遊技者に操作レバーを操作することを促す演出を表示させ、遊技者による操作レバーの操作タイミングにもとづいて確変の獲得有無を遊技者へ報知する表示パターンを設定することを提案している。
【先行技術文献】
【特許文献】
【０００４】
【特許文献１】特開２００３−２３０７１４号公報
【特許文献２】特開２００３−３２５８６８号公報
【発明の概要】
【発明が解決しようとする課題】
【０００５】
しかしながら、これまでの遊技機は、遊技機の内部状態が確変状態であれば、遊技者の操作内容にかかわらず確変を報知するものであり、遊技者の操作入力内容は確変の報知有無に影響を与えるものではなかった（例えば特許文献２の段落０１９８参照）。したがってこれまでの遊技機の演出は、操作入力内容を決定することに対する遊技者の緊張感や期待感を煽るには不十分なものであったと本発明者は考えた。
【０００６】
本発明はこうした課題に鑑みてなされたものであり、その目的は、弾球遊技機において遊技者による操作入力に応じて遊技者の利益状態を示す演出を効果的に提示することにある。
【課題を解決するための手段】
【０００７】
上記課題を解決するために、本発明のある態様の弾球遊技機は、遊技領域が形成された遊技盤と、遊技領域の所定位置に設けられた始動口と、遊技領域の所定位置において開放可能に設けられた大入賞口と、始動口への入球を契機として、通常遊技より遊技者に有利な状態である特別遊技へ移行するか否かを判定するための当否抽選を実行する当否抽選手段と、当否抽選の結果が大当りとなった場合、大入賞口を開放する特別遊技を実行する特別遊技制御手段と、当否抽選の結果を示すための図柄が変動表示される図柄表示装置と、当否抽選の結果を所定の保留個数を上限にその当否抽選に対応する図柄変動の表示開始まで保留する保留制御手段と、演出内容を定めた演出パターンを保持する演出記憶手段と、当否抽選の結果に応じて演出内容を決定し、その演出内容を所定の演出出力装置を介して遊技者へ提示する演出決定手段と、遊技者による操作入力を受け付ける操作入力手段と、を備える。演出記憶手段が保持する演出パターンには、複数の選択肢を遊技者へ提示して操作入力手段を介した特定の選択肢の選択を促す演出であって遊技者の選択結果が正解の場合に遊技者へ利益がもたらされることを示唆する選択演出と、特別遊技終了後の通常遊技において図柄変動回数が所定の保留個数以内に大当りとなることを遊技者へ報知する報知演出とが含まれ、当否抽選手段は、始動口への入球があったときに、その入球に対応する図柄変動の表示が直ちに開始されるか否かにかかわらず、その入球に対応する当否抽選の結果を演出決定手段へ通知し、演出決定手段は、特別遊技の実行中に、特別遊技終了後の通常遊技において図柄変動回数が所定の保留個数以内に大当りとなるか否かに応じて選択演出における正否条件を決定して選択演出を遊技者へ提示し、選択演出に対する遊技者の選択結果が正否条件にもとづき正解である場合に報知演出を遊技者へ提示する一方、遊技者の選択結果が不正解の場合は、特別遊技終了後の通常遊技において図柄変動回数が所定の保留個数以内に大当りとなる場合であっても報知演出の提示を抑制する。
【０００８】
なお、以上の構成要素に関する任意の組合せや、本発明の構成要素や表現を方法、装置、システム、コンピュータプログラム、コンピュータプログラムを格納した記録媒体、データ構造などの間で相互に置換したものもまた、本発明の態様として有効である。
【発明の効果】
【０００９】
本発明の弾球遊技機によれば、遊技者による操作入力に応じて遊技者の利益状態を示す演出を効果的に提示できる。
【図面の簡単な説明】
【００１０】
【図１】ぱちんこ遊技機の前面側における基本的な構造を示す図である。
【図２】ぱちんこ遊技機の背面側における基本的な構造を示す図である。
【図３】第１実施例におけるぱちんこ遊技機の機能ブロックを示す図である。
【図４】当否判定テーブルを模式的に示す図である。
【図５】図柄判定テーブルを模式的に示す図である。
【図６】通常の変動パターンテーブルを模式的に示す図である。
【図７】図６（ａ）の変動パターンテーブルを詳細に示す図である。
【図８】演出図柄表示装置における選択演出の表示例を示す図である。
【図９】正解条件テーブルを模式的に示す図である。
【図１０】ぱちんこ遊技機における基本的な動作過程を示すフローチャートである。
【図１１】図１０におけるＳ１０の入賞処理を詳細に示すフローチャートである。
【図１２】図１１におけるＳ２８の事前判定処理を詳細に示すフローチャートである。
【図１３】、図１０におけるＳ１４の通常遊技制御処理の全体的な過程を示すフローチャートである。
【図１４】図１３におけるＳ１５２の特別図柄変動処理の実行処理を詳細に示すフローチャートである。
【図１５】図１３におけるＳ１５４の装飾図柄変動処理の実行処理を詳細に示すフローチャートである。
【図１６】図１０におけるＳ１６の特別遊技処理を詳細に示すフローチャートである。
【図１７】図１６のＳ１１６の選択演出処理を詳細に示すフローチャートである。
【図１８】図１０におけるＳ１７の小当り遊技を詳細に示すフローチャートである。
【図１９】第２実施例におけるぱちんこ遊技機１０の機能ブロックを示す図である。
【図２０】演出図柄表示装置６０における選択演出の表示例を示す図である。
【図２１】正解条件テーブルを模式的に示す図である。
【図２２】図１０のＳ１６の特別遊技制御処理を詳細に示すフローチャートである。
【図２３】図２２のＳ１２１の演出テーブル選択処理を詳細に示すフローチャートである。
【発明を実施するための形態】
【００１１】
（第１実施例）
本実施例のぱちんこ遊技機においては、従来にいう第１種ぱちんこ遊技機に相当する遊技が複数混在する。その複数の遊技としての第１の遊技と第２の遊技とが、同時に実行されないよう第２の遊技が優先的に実行される。またこれらの遊技性を両立させるために、本実施例のぱちんこ遊技機は、複数の始動入賞口、複数の特別図柄表示装置、複数の保留ランプ、複数の大入賞口を備える。
【００１２】
特別遊技の実行中に遊技球が始動口へ入球すると、その入球に伴う当否抽選結果は所定の保留個数（以下、「保留上限数」とも呼ぶ。）を上限として保留状態となる。本実施例における保留上限数は、第１の遊技において４個、第２の遊技において４個の合計８個である。ここで特別遊技終了後の通常遊技における図柄変動回数が保留上限数以内、すなわち図柄変動回数が８回転となるまでに新たな大当りが発生することを、以下では「保留内連荘」とも呼ぶ。
【００１３】
本実施例のぱちんこ遊技機は、特別遊技の実行中の演出として、複数の選択肢を遊技者へ提示する演出であり、特定の選択肢を選択するよう遊技者を促す演出（以下、「選択演出」とも呼ぶ。）を表示させる。そして、選択演出に対して遊技者が正解の選択肢を選択した場合、特別遊技終了後に保留内連荘が発生することを遊技者へ報知する演出、言い換えると、保留内連荘の発生を約束する演出（以下「保留内連荘報知演出」とも呼ぶ。）を表示させる。その一方、遊技者が不正解の選択肢を選択した場合は、保留内連荘が発生するか否かにかかわらず保留内連荘報知演出の表示を抑制する。これにより、遊技者の選択結果が保留内連荘報知演出の実行有無を決定するため、遊技者は自力で保留内連荘報知演出を獲得することとなり、遊技者の達成感を高めて遊技の興趣を高める。
【００１４】
図１は、ぱちんこ遊技機の前面側における基本的な構造を示す。ぱちんこ遊技機１０は、主に遊技機枠と遊技盤で構成される。ぱちんこ遊技機１０の遊技機枠は、外枠１１、前枠１２、透明板１３、扉１４、上球皿１５、下球皿１６、および発射ハンドル１７を含む。外枠１１は、開口部分を有し、ぱちんこ遊技機１０を設置すべき位置に固定するための枠体である。前枠１２は、外枠１１の開口部分に整合する枠体であり、図示しないヒンジ機構により外枠１１へ開閉可能に取り付けられる。前枠１２は、遊技球を発射する機構や、遊技盤を着脱可能に収容させるための機構、遊技球を誘導または回収するための機構等を含む。
【００１５】
透明板１３は、ガラスなどにより形成され、扉１４により支持される。扉１４は、図示しないヒンジ機構により前枠１２へ開閉可能に取り付けられる。上球皿１５は、遊技球の貯留、発射レールへの遊技球の送り出し、下球皿１６への遊技球の抜き取り等の機構を有する。下球皿１６は、遊技球の貯留、抜き取り等の機構を有する。上球皿１５と下球皿１６の間にはスピーカ１８が設けられており、遊技状態などに応じた効果音が出力される。
【００１６】
遊技盤５０は、外レール５４と内レール５６により区画された遊技領域５２上に、アウト口５８、第１特別図柄表示装置７０、第２特別図柄表示装置７１、演出図柄表示装置６０、第１始動入賞口６２、第２始動入賞口６３、センター飾り６４、第１大入賞口９１、第２大入賞口９２、作動口６８、一般入賞口７２を含む。さらに遊技領域５２には、図示しない多数の遊技釘や風車などの機構が設置される。
【００１７】
第１始動入賞口６２は第１の遊技に対応する始動入賞口として設けられ、第２始動入賞口６３は第２の遊技に対応する始動入賞口として設けられる。第１始動入賞口６２および第２始動入賞口６３は、遊技球の発射強弱によっていずれかを目標にした打ち分けが可能な程度に互いに離れた位置に設けられる。第１始動入賞口６２と第２始動入賞口６３は、遊技者の意思にしたがった遊技球の発射強弱によっていずれか一方への入球を狙うことが可能となるよう、それぞれ遊技領域５２の左側と右側に離れて設置され、一方を狙った遊技球が他方へ入球しがたい構成となっている。たとえば、第１始動入賞口６２は遊技領域５２の左側を狙って比較的弱めに発射したときに入球しやすくなるような位置に設けられ、第２始動入賞口６３は遊技領域５２の右側を狙って比較的強めに発射したときに入球しやすくなるような位置に設けられる。
【００１８】
第１始動入賞口６２は、始動入賞検出装置７４を備える。始動入賞検出装置７４は、第１始動入賞口６２への遊技球の入球を検出するセンサであり、入球時にその入球を示す第１始動入賞情報を生成する。第２始動入賞口６３は、始動入賞検出装置７５と、普通電動役物６５と、普通電動役物６５を開閉させるための普通電動役物ソレノイド７６を備える。始動入賞検出装置７５は、第２始動入賞口６３への遊技球の入球を検出するセンサであり、入球時にその入球を示す第２始動入賞情報を生成する。普通電動役物ソレノイド７６の駆動力により普通電動役物６５が拡開されると、第２始動入賞口６３への入球容易性が高まる。また、第２始動入賞口６３は図示するとおり遊技領域５２の右側における狭い通路に設けられているので、右側を狙って強めに打球した遊技球の多くが少なくとも第２始動入賞口６３の近傍に集まり、第２始動入賞口６３の入球可能性は高い。これに対して第１始動入賞口６２には普通電動役物が設置されておらず、しかも狭い通路から離れた位置に設けられている。したがって、普通電動役物６５が拡開されれば第１始動入賞口６２よりも第２始動入賞口６３の方が入球可能性が相対的に高くなるような配置または構成の関係となっている。
【００１９】
一般入賞口７２は、遊技球の入球を検出するための一般入賞検出装置７３を複数備える。一般入賞検出装置７３は、一般入賞口７２への遊技球の入球を検出するセンサであり、入球時にその入球を示す一般入賞情報を生成する。
【００２０】
第１大入賞口９１は第１の遊技に対応する大入賞口として設けられ、第２大入賞口９２は第２の遊技に対応する大入賞口として設けられる。第１大入賞口９１は、遊技球の入球を検出するための入賞検出装置７８と、第１大入賞口９１を開閉させるための大入賞口ソレノイド８０を備える。入賞検出装置７８は、第１大入賞口９１への遊技球の入球を検出するセンサであり、入球時にその入球を示す第１大入賞口入賞情報を生成する。第２大入賞口９２は、遊技球の入球を検出するための入賞検出装置７９と、第２大入賞口９２を開閉させるための大入賞口ソレノイド８１を備える。入賞検出装置７９は、第２大入賞口９２への遊技球の入球を検出するセンサであり、入球時にその入球を示す第２大入賞口入賞情報を生成する。第１大入賞口９１は、第１特別図柄１９２が所定の態様にて停止したときに「大当り」として開放状態となる横長方形状の入賞口である。第１大入賞口９１はアウト口５８の上方の位置に設けられる。第２大入賞口９２は、第２特別図柄１９３が所定の態様にて停止したときに「大当り」として開放状態となる横長方形状の入賞口である。第２大入賞口９２はアウト口５８の右上方の位置に設けられる。なお、変形例として、第１の遊技と第２の遊技で単一の大入賞口を共用する形でもよい。
【００２１】
遊技領域５２の略中央に演出図柄表示装置６０が設けられ、その左下方に第１の遊技に対応する第１特別図柄表示装置７０と第２の遊技に対応する第２特別図柄表示装置７１とが互いに左右に隣接するように設けられる。第１特別図柄表示装置７０には第１の遊技に対応する第１特別図柄１９２の変動が表示され、第２特別図柄表示装置７１には第２の遊技に対応する第２特別図柄１９３の変動が表示される。第１特別図柄１９２は、第１始動入賞口６２への遊技球の入球を契機として行われる第１の抽選の結果に対応した図柄であり、その変動表示が所定の当り態様にて停止されたときに特別遊技としての大当りが発生する。第２特別図柄１９３は、第２始動入賞口６３への遊技球の入球を契機として行われる第２の抽選の結果に対応した図柄であり、その変動表示が所定の当り態様にて停止されたときに特別遊技としての大当りが発生する。第１特別図柄表示装置７０および第２特別図柄表示装置７１は、例えば７セグメントＬＥＤで構成される表示手段であり、第１特別図柄１９２および第２特別図柄１９３はそれぞれ「０」〜「９」の１０種類の数字と記号「−」で表される。
【００２２】
演出図柄表示装置６０の表示領域１９４には第１特別図柄１９２に連動する装飾図柄１９０または第２特別図柄１９３に連動する装飾図柄１９０の変動が表示される。演出図柄表示装置６０は、たとえば液晶ディスプレイである。装飾図柄１９０は、第１特別図柄１９２で示される第１の抽選の結果表示または第２特別図柄１９３で示される第２の抽選の結果表示を視覚的に演出するための図柄である。演出図柄表示装置６０は、装飾図柄１９０として、例えばスロットマシンのゲームを模した複数列の図柄変動の動画像を表示領域１９４に表示する。演出図柄表示装置６０は、この実施例では液晶ディスプレイで構成されるが、機械式のドラムやＬＥＤなどの他の表示手段で構成されてもよい。なお、第１特別図柄１９２および第２特別図柄１９３は必ずしも演出的な役割をもつことを要しないため、本実施例では演出図柄表示装置６０の左下方の第１特別図柄表示装置７０および第２特別図柄表示装置７１にて目立たない大きさで表示させるが、特別図柄自体に演出的な役割をもたせて装飾図柄を表示させないような手法を採用する場合には、特別図柄を演出図柄表示装置６０のような液晶ディスプレイに表示させてもよい。
【００２３】
作動口６８は、遊技盤５０の右側方位置に設けられる。作動口６８は、通過検出装置６９を含む。通過検出装置６９は、作動口６８への遊技球の通過を検出するセンサであり、通過時にその通過を示す通過情報を生成する。作動口６８への遊技球の通過は第２始動入賞口６３の普通電動役物６５を拡開させるための開放抽選の契機となる。
【００２４】
遊技者が発射ハンドル１７を手で回動させると、その回動角度に応じた強度で上球皿１５に貯留された遊技球が１球ずつ内レール５６と外レール５４に案内されて遊技領域５２へ発射される。遊技者が発射ハンドル１７の回動位置を手で固定させると一定の時間間隔で遊技球の発射が繰り返される。遊技領域５２の上部へ発射された遊技球は、複数の遊技釘や風車に当りながらその当り方に応じた方向へ落下する。遊技球が一般入賞口７２、第１始動入賞口６２、第２始動入賞口６３、第１大入賞口９１、第２大入賞口９２の各入賞口へ落入すると、その入賞口の種類に応じた賞球が上球皿１５または下球皿１６に払い出される。一般入賞口７２等の各入賞口に落入した遊技球はセーフ球として処理され、アウト口５８に落入した遊技球はアウト球として処理される。なお、各入賞口は遊技球が通過するゲートタイプのものを含み、本願において「落入」「入球」「入賞」というときは「通過」を含むものとする。
【００２５】
遊技球が第１始動入賞口６２に入球すると、第１特別図柄表示装置７０において第１特別図柄１９２が変動表示され、演出図柄表示装置６０の表示領域１９４において装飾図柄１９０が変動表示される。遊技球が第２始動入賞口６３に入球すると、第２特別図柄表示装置７１において第２特別図柄１９３が変動表示され、演出図柄表示装置６０の表示領域１９４において装飾図柄１９０が変動表示される。第１特別図柄１９２、第２特別図柄１９３、装飾図柄１９０の変動表示は、表示に先だって決定された変動時間の経過後に停止される。停止時の第１特別図柄１９２および装飾図柄１９０が大当り態様であった場合、通常遊技よりも遊技者に有利な遊技状態である特別遊技に移行し、第１大入賞口９１の開閉動作が開始される。このときスロットマシンのゲームを模した装飾図柄１９０は、３つの図柄を一致させるような表示態様をとる。停止時の第２特別図柄１９３および装飾図柄１９０が大当り態様であった場合、通常遊技よりも遊技者に有利な遊技状態である特別遊技に移行し、第２大入賞口９２の開閉動作が開始される。
【００２６】
特別遊技は、第１大入賞口９１または第２大入賞口９２が開放される単位遊技が複数回繰り返される遊技であり、単位遊技が１５回繰り返されて多くの出玉を獲得できる第１特別遊技と、短い単位遊技が２回だけ繰り返されてほぼ出玉のない第２特別遊技とがある。１５回の単位遊技が繰り返される第１特別遊技（以下、適宜「１５Ｒ大当り」「１５Ｒ特別遊技」とも称する）の場合、第１大入賞口９１または第２大入賞口９２は約３０秒間開放されたとき、または９球以上の遊技球が落入したときに一旦閉鎖されることで１回の単位遊技が終了する。２回の単位遊技が繰り返される第２特別遊技（以下、適宜「２Ｒ大当り」「２Ｒ特別遊技」とも称する）の場合、第１大入賞口９１または第２大入賞口９２は約０．２秒間開放されたときに一旦閉鎖されることで１回の単位遊技が終了する。
【００２７】
停止時の第１特別図柄１９２および装飾図柄１９０が所定の小当り態様であった場合、１回の単位遊技で構成される小当り遊技に移行し、第１大入賞口９１の開閉動作が実行される。停止時の第２特別図柄１９３および装飾図柄１９０が小当り態様であった場合もまた小当り遊技に移行し、第２大入賞口９２の開閉動作が実行される。小当り遊技を構成する１回の単位遊技においては、第１大入賞口９１または第２大入賞口９２が約０．２秒間の開放を２回繰り返すので、外観上は２Ｒ大当りと同様の動作態様となる。
【００２８】
特別遊技が発生した場合であって抽選などの所定の条件が満たされた場合、特別遊技の終了後に特定遊技として確率変動遊技（以下、「確変」という）や変動時間短縮（以下、「時短」という）が開始される。確変中は、通常の確率状態より大当りの確率が高い抽選が行われ、比較的早期に新たな特別遊技が発生する。本実施例において、確変状態は、第１特別図柄１９２または第２特別図柄１９３が大当りとなるまで継続される。また確変は、特別遊技が発生した場合であってそのときの当り停止図柄が特定の態様であった場合に、その特別遊技の終了後に開始される。時短も確変と同様に、第１特別図柄１９２または第２特別図柄１９３が大当りとなるまで継続される。時短中は、第１特別図柄１９２または第２特別図柄１９３の変動時間が概ね短縮される。時短は、１５Ｒ大当りの場合にだけ特別遊技終了後に開始される。
【００２９】
作動口６８を遊技球が通過すると、所定時間、普通図柄と呼ばれる図柄が普通図柄表示装置５９に変動表示される。普通図柄表示装置５９は第１大入賞口９１の右方に設けられ、本実施例では二つのランプが交互に点灯と消灯を繰り返す形で普通図柄の変動表示を表現し、どちらのランプが最終的に点灯したまま停止するかによって普通図柄の抽選結果を表す。所定時間の経過後に普通図柄の変動表示が所定の当り態様にて停止すると、第２始動入賞口６３の普通電動役物６５が所定時間拡開する。このとき、通常状態では例えば１／２５６程度の低確率にて普通図柄が当り態様で停止し、後述する入球容易状態では例えば２５０／２５６程度の高確率にて普通図柄が当り態様で停止する。普通図柄が当り態様で停止すると、普通電動役物６５が所定時間拡開される。普通電動役物６５の開放時間は、例えば通常状態では０．１秒間であり、入球容易状態では６秒間である。
【００３０】
演出図柄表示装置６０の周囲には、センター飾り６４が設けられる。センター飾り６４は、遊技球の流路、演出図柄表示装置６０の保護、装飾等の機能を有する。遊技効果ランプ９０がセンター飾り６４の上部および下部に設けられ、点滅等することで演出の役割を果たす。第１の遊技に対応する第１特図保留ランプ２０は第１特別図柄表示装置７０の上方に設けられ、第２の遊技に対応する第２特図保留ランプ２１は第２特別図柄表示装置７１の上方に設けられ、普通図柄変動に対応する普図保留ランプ２２は普通図柄表示装置５９の下方に設けられる。第１特図保留ランプ２０および第２特図保留ランプ２１は、それぞれ２個のランプからなり、それぞれの点灯個数または点滅個数によって第１の遊技および第２の遊技のそれぞれにおける当否抽選値の保留数を表示する。第１特図保留ランプ２０における当否抽選値の保留数は、第１特別図柄１９２の変動中または特別遊技の実行中に第１始動入賞口６２へ入賞した抽選結果の個数であり、図柄変動がまだ実行されていない入賞球の数を示す。第２特図保留ランプ２１における当否抽選値の保留数は、第２特別図柄１９３の変動中または特別遊技の実行中に第２始動入賞口６３へ入賞した抽選結果の個数であり、図柄変動がまだ実行されていない入賞球の数を示す。普図保留ランプ２２もまた２個のランプからなり、その点灯個数または点滅個数によって普通図柄変動の保留数を表示する。普通図柄変動の保留数は、普通図柄の変動中に作動口６８を通過した遊技球の個数であり、普通図柄の変動がまだ実行されていない普通図柄抽選の数を示す。
【００３１】
操作ボタン８２は、遊技者が遊技機に対して所定の指示を入力するために操作するボタンである。操作ボタン８２は、上球皿１５近傍の外壁面に設けられる。本実施例では３つの操作ボタン８２が設けられており、最も左に位置する左ボタンと、中央に位置する中ボタンと、最も右に位置する右ボタンを含む。
【００３２】
図２は、ぱちんこ遊技機の背面側における基本的な構造を示す。電源スイッチ４０はぱちんこ遊技機１０の電源をオンオフするスイッチである。メイン基板１０２は、ぱちんこ遊技機１０の全体動作を制御し、とくに第１始動入賞口６２、第２始動入賞口６３へ入賞したときの抽選等、遊技動作全般を処理する。サブ基板１０４は、液晶ユニット４２を備え、演出図柄表示装置６０における表示内容を制御し、特にメイン基板１０２による抽選結果に応じて表示内容を変動させる。メイン基板１０２およびサブ基板１０４は、遊技制御装置１００を構成する。裏セット機構３９は、賞球タンク４４や賞球の流路、賞球を払い出す払出ユニット４３等を含む。払出ユニット４３は、各入賞口への入賞に応じて賞球タンク４４から供給される遊技球を上球皿１５へ払い出す。払出制御基板４５は、払出ユニット４３による払出動作を制御する。発射装置４６は、上球皿１５の貯留球を遊技領域５２へ１球ずつ発射する。発射制御基板４７は、発射装置４６の発射動作を制御する。電源ユニット４８は、ぱちんこ遊技機１０の各部へ電力を供給する。
【００３３】
図３は、第１実施例におけるぱちんこ遊技機１０の機能ブロックを示す。ぱちんこ遊技機１０において、遊技制御装置１００は、第１始動入賞口６２、第２始動入賞口６３、第１大入賞口９１、第２大入賞口９２、一般入賞口７２、作動口６８、第１特別図柄表示装置７０、第２特別図柄表示装置７１、演出図柄表示装置６０、普通図柄表示装置５９、操作ボタン８２、スピーカ１８、遊技効果ランプ９０のそれぞれと電気的に接続されており、各種制御信号の送受信を可能とする。遊技制御装置１００は、遊技の基本動作だけでなく、図柄変動表示や電飾等の演出的動作も制御する。遊技制御装置１００は、遊技の基本動作や遊技の進行を含むぱちんこ遊技機１０の全体動作を制御する主制御装置としてのメイン基板１０２と、図柄の演出等を制御する副制御装置としてのサブ基板１０４とに機能を分担させた形態で構成される。遊技制御装置１００は、ハードウエア的にはデータやプログラムを格納するＲＯＭやＲＡＭ、演算処理に用いるＣＰＵ等の素子を含んで構成される。
【００３４】
本実施例におけるメイン基板１０２は、入球判定手段１１０、第１抽選手段１２６、第２抽選手段１２８、普図抽選手段１３６、保留制御手段１１６、メイン表示制御手段１１８、特別遊技制御手段１２０、小当り遊技制御手段３３０、特定遊技実行手段１２２、開閉制御手段１２４、条件保持手段１７６を備える。本実施例におけるサブ基板１０４は、演出記憶手段１３０、演出決定手段１３２、演出表示制御手段１３４を備える。なお、メイン基板１０２に含まれる各機能ブロックは、いずれかがメイン基板１０２ではなくサブ基板１０４に搭載されるかたちで構成されてもよい。同様に、サブ基板１０４に含まれる各機能ブロックは、いずれかがサブ基板１０４ではなくメイン基板１０２に搭載されるかたちで構成されてもよい。
【００３５】
ただし、メイン基板１０２とサブ基板１０４の間におけるデータの送受信はメイン基板１０２からサブ基板１０４への一方向であるため、そのような一方向でのデータ送受信にて全体動作が実現されるよう各構成がメイン基板１０２とサブ基板１０４に配置される。このようにメイン基板１０２からサブ基板１０４へのデータ送信の一方向性が保たれるため、サブ基板１０４に含まれる構成からメイン基板１０２に含まれる構成へはデータを送信することができず、データ送信の要求もできない。したがって、メイン基板１０２で生成された情報は、メイン基板１０２がサブ基板１０４へ一方的に送信しない限りサブ基板１０４から参照することはできない。
【００３６】
入球判定手段１１０は、各入賞口への遊技球の入球を判定する。入球判定手段１１０は、第１始動入賞情報を受け取ると遊技球が第１始動入賞口６２に入賞したと判断し、第２始動入賞情報を受け取ると遊技球が第２始動入賞口６３に入賞したと判断する。入球判定手段１１０は、第１大入賞口入賞情報を受け取ると遊技球が第１大入賞口９１に入賞したと判断し、第２大入賞口入賞情報を受け取ると遊技球が第２大入賞口９２に入賞したと判断し、一般入賞情報を受け取ると遊技球が一般入賞口７２に入賞したと判断する。入球判定手段１１０は、通過情報を受け取ると遊技球が作動口６８を通過したと判断する。
【００３７】
第１始動入賞口６２への入球に対応する第１の抽選を実行する第１抽選手段１２６は、第１抽選値取得手段１１２、第１当否判定手段１１３、第１パターン決定手段１１４、第１図柄決定手段３２０を含む。第２始動入賞口６３への入球に対応する第２の抽選を実行する第２抽選手段１２８は、第２抽選値取得手段１１５、第２当否判定手段１１７、第２パターン決定手段１１９、第２図柄決定手段３２２を含む。第１の抽選の結果は、第１特別図柄表示装置７０において第１特別図柄１９２の変動表示の形で示され、演出図柄表示装置６０の表示領域１９４において装飾図柄１９０の変動表示の形で示される。第２の抽選の結果は、第２特別図柄表示装置７１において第２特別図柄１９３の変動表示の形で示され、演出図柄表示装置６０の表示領域１９４において装飾図柄１９０の変動表示の形で示される。
【００３８】
第１抽選手段１２６および第２抽選手段１２８は、図柄変動を開始するにあたり、その図柄変動に対応する抽選の結果を図柄変動の制御コマンドとともに演出決定手段１３２へ送信する。
【００３９】
第１抽選値取得手段１１２は、第１始動入賞口６２への入球を契機に、第１の抽選のために乱数の値を第１当否抽選値として取得する。第２抽選値取得手段１１５は、第２始動入賞口６３への入球を契機に、第２の抽選のために乱数の値を第２当否抽選値として取得する。たとえば、当否抽選のために第１当否抽選値および第２当否抽選値として取得する値は「０」から「６５５３５」までの値範囲から取得される。なお、本願にいう「乱数」は、数学的に発生させる乱数でなくてもよく、ハードウエア乱数やソフトウエア乱数などにより発生させる疑似乱数でもよい。第１抽選値取得手段１１２および第２抽選値取得手段１１５が第１当否抽選値または第２当否抽選値として取得する値は、保留制御手段１１６により一時的に保留される。ただし、保留制御手段１１６により保留される所定の保留上限数を超えない範囲で第１当否抽選値と第２当否抽選値が保留される。
【００４０】
第１当否判定手段１１３は、第１当否抽選値に基づき、特別遊技または小当り遊技へ移行するか否かを判定する当否判定を実行する。第２当否判定手段１１７は、第２当否抽選値に基づき、特別遊技または小当り遊技へ移行するか否かを判定する当否判定を実行する。第１当否判定手段１１３および第２当否判定手段１１７は、当否判定で参照する当否判定テーブルを保持する。
【００４１】
図４は、当否判定テーブルを模式的に示す図である。本図の当否判定テーブルには、大当り、小当り、外れの判定結果と当否抽選値とが対応付けられており、対応付けられたそれぞれの範囲設定に応じて大当り当否確率や小当りの当否確率が定まる。第１当否判定手段１１３および第２当否判定手段１１７は、当否判定において本図の当否判定テーブルを参照する。第１当否判定手段１１３による第１の抽選と第２当否判定手段１１７による第２の抽選のいずれにおいても、通常時には当否抽選値が０〜２９９の範囲に該当したときのみ大当りとなる。確変時には大当りの範囲が拡大され、当否抽選値が０〜２９９の範囲に該当する場合だけでなく、３００〜６５４９の範囲に該当する場合にも大当りとなる。このように、大当りに該当する範囲は遊技状態に応じて変化する。なお、本図では単一の当否判定テーブルによって通常時と確変時の双方の大当り範囲を示したが、当否判定テーブルは通常時用と確変時用とで別個に用意してもよいし、第１の抽選用と第２の抽選用とで別個に用意してもよい。
【００４２】
本実施例においては、当否抽選値が大当り範囲に該当しない場合であっても、所定の範囲に該当した場合には小当りとなる。本図の例では、第１当否判定手段１１３が取得する当否抽選値が５６５００〜６５５３５の範囲に該当した場合に小当りとなり、第２当否判定手段１１７が取得する当否抽選値が６４０００〜６５５３５の範囲に該当した場合に小当りとなる。すなわち、第２の抽選よりも第１の抽選の方が小当りに該当する範囲が広く、小当りが発生しやすい。このように、大当りに該当しなかった場合、本来はすべて「外れ」であるが、本図の例では大当りに該当しなかった場合のうち小当りにも該当しなかった場合の当否抽選値範囲を特に「外れ」と表現している。なお、本図では大当りか否かの判定テーブルと小当りか否かの判定テーブルとを単一の当否判定テーブルの形で実現する例を示したが、それぞれを別個のテーブルとして実現してもよい。
【００４３】
なお、第１当否判定手段１１３および第２当否判定手段１１７は、第１始動入賞口６２または第２始動入賞口６３への入球時に、事前判定処理として、抽選値が当否判定におけるいずれの抽選値範囲に該当するかの事前当否判定をさらに実行する。そして、その判定結果をサブ基板１０４（例えば演出決定手段１３２）へ送信する。事前当否判定の結果は、送信バッファに一時保存された後、事前当否判定の対象とした抽選値に対応する図柄変動表示が直ちに開始されるか否かにかかわらずサブ基板１０４へ送信される。そして、送信バッファから消去され、または後に上書きされる。そのため、サブ基板１０４側にとっては図柄変動開始の順番が巡ってくる前にあらかじめ当否結果を推測的に認識できる、いわゆる「先読み」と呼ばれる処理が実現される。なお、図柄変動を開始するにあたって実行する当否判定を、特に事前当否判定と区別するために、「本判定としての当否判定」とも呼ぶ。
【００４４】
図３に戻り、第１図柄決定手段３２０および第２図柄決定手段３２２は、別途取得する図柄抽選値と当否判定の結果に基づいて、図柄の変動開始にあたってその停止図柄を決定する。第１図柄決定手段３２０および第２図柄決定手段３２２は、特別図柄の停止図柄を決定するために参照する複数の図柄判定テーブルを保持する。第１図柄決定手段３２０および第２図柄決定手段３２２は、当否判定結果に応じて異なる図柄判定テーブルを参照する。
【００４５】
図５は、図柄判定テーブルを模式的に示す図である。図５（ａ）は当否判定結果が大当りであった場合に参照するテーブルであり、図５（ｂ）は当否判定結果が外れであった場合に参照するテーブルであり、図５（ｃ）は当否判定結果が小当りであった場合に参照するテーブルである。第１図柄決定手段３２０および第２図柄決定手段３２２は、図柄判定において本図の図柄判定テーブルを参照する。各図柄判定テーブルには、「０」〜「９」の数字および文字以外の記号「−」で表される特別図柄と第１図柄抽選値または第２図柄抽選値との対応関係が定められている。特別図柄の種類はそれぞれ大当り、小当り、外れの当否判定結果と対応付けられており、奇数の数字が大当りに対応し、偶数の数字が小当りに対応し、記号「−」が外れに対応する。
【００４６】
図５（ａ）に示す通り、特別図柄「０」〜「９」のうち奇数の数字である特別図柄「１」「３」「５」「７」「９」が大当りに対応づけられている。そのうち、特別図柄「７」は確変状態への移行を伴う１５Ｒ大当りを示し、第１図柄抽選値の場合は「０〜９９」に対応づけられ、第２図柄抽選値の場合は「０〜１４９」に対応づけられる。特別図柄「３」は確変状態への移行を伴う２Ｒ大当りを示し、第１図柄抽選値の場合は「１００〜１４９」に対応づけられるが、第２図柄抽選値の場合には対応づけられていない。特別図柄「１」「５」は確変状態への移行を伴わない１５Ｒ大当りを示し、第１図柄抽選値の場合は「１３０〜２２９」に対応づけられ、第２図柄抽選値の場合は「１５０〜２５５」が対応づけられている。特別図柄「９」は確変状態への移行を伴わない２Ｒ大当りを示し、第１図柄抽選値の場合は「２３０〜２５５」に対応づけられるが、第２図柄抽選値の場合には対応づけられていない。このように、第２図柄抽選値は２Ｒ大当りを示す特別図柄「３」「９」と対応づけられていないため、第２始動入賞口６３に入球させる限りは２Ｒ大当りは発生しない。
【００４７】
図５（ｂ）に示す通り、記号「−」は全範囲である図柄抽選値の範囲「０〜２５５」に対応づけられる。
【００４８】
図５（ｃ）に示す通り、特別図柄「０」〜「９」のうち偶数の数字である特別図柄「０」「２」「４」「６」「８」が小当りに対応づけられている。特別図柄「０」は図柄抽選値の範囲「０〜４９」に対応づけられ、特別図柄「２」は図柄抽選値の範囲「５０〜９９」に対応づけられ、特別図柄「４」は図柄抽選値の範囲「１００〜１４９」に対応づけられ、特別図柄「６」は図柄抽選値の範囲「１５０〜１９９」に対応づけられ、特別図柄「８」は図柄抽選値の範囲「２００〜２５５」に対応づけられる。
【００４９】
なお、第１図柄決定手段３２０および第２図柄決定手段３２２は、第１始動入賞口６２または第２始動入賞口６３への入球時に、事前判定処理として、図柄抽選値がいずれの図柄範囲に該当するかの事前図柄判定をさらに実行する。そして、その判定結果を、事前図柄判定の対象とした抽選値に対応する図柄変動表示が直ちに開始されるか否かにかかわらずサブ基板１０４（例えば演出決定手段１３２）へ送信する。
【００５０】
第１図柄決定手段３２０および第２図柄決定手段３２２は、事前図柄判定において、特別図柄の停止図柄の範囲を決定するために参照する複数の事前図柄判定テーブルを保持する。第１図柄決定手段３２０および第２図柄決定手段３２２は、事前当否判定の結果が大当りの場合は、大当り用の事前図柄判定テーブルを参照して、図柄抽選値が属する図柄範囲を判定する。この大当り用の事前図柄判定テーブルは、複数種類の大当りと、各大当りに対応する図柄抽選値の範囲とを対応づけて定める。すなわち、事前当否判定の結果が大当りの場合、事前図柄判定の結果は大当りの種類（確変状態への移行を伴う１５Ｒ大当り、確変状態への移行を伴わない１５Ｒ大当り、確変状態への移行を伴う２Ｒ大当り、確変状態への移行を伴わない２Ｒ大当りのいずれか）を示す。したがって、上述の事前当否判定の結果および事前図柄判定の結果により、サブ基板１０４（例えば演出決定手段１３２）は、将来時点での大当りの発生有無と、発生する大当りの種類を予め判定できる。
【００５１】
このように、本実施例の第１抽選手段１２６は、第１始動入賞口６２への入球時に、事前判定処理として、事前当否判定および事前図柄判定を実行する。同様に、本実施例の第２抽選手段１２８は、第２始動入賞口６３への入球時に、事前判定処理として、事前当否判定および事前図柄判定を実行する。そして、事前判定処理の結果データ（以下、「事前判定結果」とも呼ぶ。）として、当否範囲、図柄範囲のそれぞれを示すデータを設定してサブ基板１０４へ送信する。
【００５２】
図３に戻り、第１パターン決定手段１１４は、第１特別図柄表示装置７０および演出図柄表示装置６０に表示させる図柄変動の表示過程が定められた変動パターンを、別途取得する第１パターン抽選値に基づいて複数の変動パターンの中から決定する。第２パターン決定手段１１９は、第２特別図柄表示装置７１および演出図柄表示装置６０に表示させる図柄変動の表示過程が定められた変動パターンを、別途取得する第２パターン抽選値に基づいて複数の変動パターンの中から決定する。第１パターン決定手段１１４および第２パターン決定手段１１９は、それぞれ図柄変動を開始する際に変動パターンテーブルを参照してその図柄変動の変動パターンを決定する。第１パターン決定手段１１４および第２パターン決定手段１１９は、変動パターンを決定するために参照する変動パターン選択基準として複数の変動パターンテーブルをそれぞれ保持または共有する。変動パターンには、特別図柄を変動表示させるときの変動開始から停止までの変動時間が定められており、その種類によって長短様々な変動時間をもつ。すなわち、各変動パターンには、その図柄変動の終了条件としてパターンごとに変動表示時間が定められており、その変動表示時間の経過時に特別図柄の変動が停止される。複数の変動パターンテーブルは、変動パターンと抽選値との対応関係としてそれぞれ変動時間の選択傾向が異なるように定められている。
【００５３】
図６は、通常の変動パターンテーブルを模式的に示す図である。第１パターン決定手段１１４および第２パターン決定手段１１９は、通常状態での変動パターン判定において本図の変動パターンテーブルを参照する。特定遊技状態での変動パターン判定においては、後述する図８の特定遊技用変動パターンテーブルを参照する。通常状態において、第１パターン決定手段１１４または第２パターン決定手段１１９は、当否判定結果が外れのときは図６（ａ）に示される外れ用の変動パターンを参照する。当否判定結果が１５Ｒ大当りのときは図６（ｂ）に示される１５Ｒ大当り用の変動パターンテーブルを参照する。当否判定結果が２Ｒ大当りまたは小当りのときは図６（ｃ）に示される２Ｒ大当りおよび小当り用の変動パターンテーブルを参照する。
【００５４】
図６（ａ）においては、パターン抽選値０〜１０には「スーパー１」というスーパーリーチが対応付けられ、パターン抽選値１１〜２０には「スーパー２」というスーパーリーチが対応付けられている。パターン抽選値２１〜２５５には「ノーマル１」「ノーマル２」「リーチなし」のいずれかの変動パターンが対応付けられている。このように、当否判定結果が外れの場合、スーパーリーチ、ノーマルリーチ、リーチなしのいずれも選択される可能性がある。なお、図６（ａ）の変動パターンテーブルは、厳密には保留数ごとに参照すべき欄が異なるように規定されるが、その詳細は後述する図７において説明する。
【００５５】
図６（ｂ）においては、パターン抽選値０〜１２０には「スーパー１」のスーパーリーチが対応付けられ、パターン抽選値１２１〜２４０には「スーパー２」のスーパーリーチが対応付けられている。パターン抽選値２４１〜２５０には「ノーマル１」のリーチが対応付けられ、パターン抽選値２５１〜２５５には「ノーマル２」のリーチが対応付けられている。
【００５６】
図６（ｃ）においては、パターン抽選値０〜１２２には「スーパー３」というスーパーリーチが対応付けられ、パターン抽選値１２３〜２５５には「ノーマル３」というノーマルリーチが対応付けられている。このように当否判定結果が２Ｒ大当りまたは小当りの場合は「スーパー３」または「ノーマル３」がそれぞれ約５０％の確率で選択される。
【００５７】
図７は、図６（ａ）の変動パターンテーブルを詳細に示す図である。本図の変動パターンテーブル２１０においては、保留数ごとにそれぞれ変動パターンに対応付けられたパターン抽選値の範囲が異なる。具体的には、保留数が少ないほど変動時間が相対的に長い変動パターンに割り当てられたパターン抽選値の範囲が広くされており、それら変動時間の長い変動パターンが選択される確率を高めている。そのため、第１保留手段１４４または第２保留手段１４６による保留数が少ないほど平均的な変動時間が長くなる。したがって、第１保留手段１４４または第２保留手段１４６による保留数が所定数、例えば１〜２個より少なくなった場合に、変動時間の長い変動パターンの選択確率が通常より高くなり、変動時間が比較的長くなりやすい。
【００５８】
第１欄２１２には、第１保留手段１４４による第１の抽選の結果保留数または第２保留手段１４６による第２の抽選の結果保留数が１の場合のパターン抽選値範囲と変動パターンとの対応関係が示される。同様に、第２欄２１４、第３欄２１６、第４欄２１８に、第１保留手段１４４による第１の抽選の結果保留数または第２保留手段１４６による第２の抽選の結果保留数がそれぞれ２、３、４の場合のパターン抽選値範囲と変動パターンとの対応関係が示される。すなわち、第１欄２１２、第２欄２１４、第３欄２１６、第４欄２１８が保留数ごとの変動パターンテーブルを示すと考えることができる。本図では、外れのときに選択され得る複数の変動パターンを変動時間別に５種類に分類した例を説明するが、実際にはそれらの分類ごとに複数の変動演出パターンが用意されており、全体で数十種類の変動演出パターンがそれぞれの分類ごとの抽選値範囲に対応付けられていることに等しい。
【００５９】
第１範囲２２２には、抽選値が０から１０までのパターン抽選値に該当する場合の変動パターンとして、第１欄２１２、第２欄２１４、第３欄２１６、第４欄２１８のいずれにも「スーパー１」というスーパーリーチの変動パターンが対応付けられる。第２範囲２２４には、抽選値が１１から２０までのパターン抽選値に該当する場合の変動パターンとして、第１欄２１２、第２欄２１４、第３欄２１６、第４欄２１８のいずれにも「スーパー２」というスーパーリーチの変動パターンが対応付けられる。このように、抽選値が０から１０までのパターン抽選値と抽選値が１１から２０までのパターン抽選値の場合には、保留数にかかわらず同じ変動時間の変動パターンが選択される。
【００６０】
第３範囲２２６には、抽選値が２１から２５５までのパターン抽選値に該当する場合の変動パターンとして、第１欄２１２、第２欄２１４、第３欄２１６、第４欄２１８にはそれぞれノーマルリーチである「ノーマル１」「ノーマル２」と「リーチなし」の３種類の変動パターンが対応付けられる。ただし、それぞれの変動パターンが対応付けられるパターン抽選値の範囲は保留数によって異なる。第１欄２１２では、「ノーマル１」「ノーマル２」「リーチなし」のそれぞれが対応付けられる抽選値範囲の大きさがそれぞれほぼ等しく、２１から２５５をほぼ３等分した範囲が対応付けられている。これに対し、第２欄２１４では、「ノーマル１」「ノーマル２」のそれぞれに対応付けられる抽選値範囲の大きさが「リーチなし」に対応付けられる抽選値範囲よりやや小さい。また、第３欄２１６では「ノーマル１」「ノーマル２」のそれぞれに対応付けられる抽選値範囲の大きさがさらに小さくなり、第４欄２１８にて「ノーマル１」「ノーマル２」のそれぞれに対応付けられる抽選値範囲の大きさはまたさらに小さくなっている。
【００６１】
「ノーマル１」「ノーマル２」の変動時間は「リーチなし」の変動時間より長くてもよく、また「リーチなし」のときは時短状態のように変動時間が短縮される場合もあるため、上記の第３範囲２２６の設定内容に応じて平均的な変動時間が異なることとなる。保留数が１から２、３、４と多くなるにつれて「ノーマル１」および「ノーマル２」のパターン抽選値範囲は小さくなり、逆に「リーチなし外れ」のパターン抽選値範囲が大きくなる。したがって、保留数が多いほど平均的な変動時間は短くなり、逆に保留数が少ないほど平均的な変動時間は長くなる。このように保留数ごとにパターン抽選値範囲と変動パターンの対応関係が異なる変動パターンテーブルを用いることにより、保留数が少なくなったときに変動時間の長い変動パターンが選択されやすくなる制御を実現することができる。
【００６２】
図３に戻り、普図抽選手段１３６は、作動口６８を遊技球が通過したときに抽選値を取得することにより抽選を実行する。普図抽選手段１３６による抽選の結果は、普通図柄表示装置５９において普通図柄の形で変動表示される。普図抽選手段１３６は、普通図柄表示装置５９に表示させる普通図柄の停止図柄を決定するために参照すべき図柄判定テーブルを保持する。その図柄判定テーブルには抽選値と普通図柄の対応関係が定められており、普図抽選手段１３６は普通図柄の停止図柄を図柄判定テーブルを参照して決定する。決定された停止図柄が所定の図柄となった場合に普通図柄が当りに該当したと判定され、その停止図柄にて普通図柄の変動表示が停止された後に開閉制御手段１２４が第２始動入賞口６３の普通電動役物６５を所定時間拡開する。普通図柄の抽選値は、保留制御手段１１６により一時的に保留される。ただし、保留制御手段１１６により保留される所定の保留上限数を超えない場合にだけ抽選値が保留される。
【００６３】
保留制御手段１１６は、第１保留手段１４４、第２保留手段１４６、普図保留手段１４７を含む。第１保留手段１４４は、新たに第１の抽選が実行されるときにそれ以前の抽選に対応する図柄変動が表示されている場合、新たな第１の抽選の結果をその抽選に対応する図柄の変動表示開始まで保留する。本実施例では第１の抽選の結果として４個を上限として当否抽選値を保持する。第２保留手段１４６は、新たに第２の抽選が実行されるときにそれ以前の抽選に対応する図柄変動が表示されている場合、新たな第２の抽選の結果をその抽選に対応する図柄の変動表示開始まで保留する。本実施例では第２の抽選の結果として４個を上限として当否抽選値を保持する。普図保留手段１４７は、普図抽選手段１３６により取得された普図抽選値を保留球として保持する。これらの保留数がそれぞれ第１特図保留ランプ２０、第２特図保留ランプ２１、普図保留ランプ２２の点灯数または点滅数により表される。第１保留手段１４４および第２保留手段１４６による保留の数は表示領域１９４にも表示される。
【００６４】
第２保留手段１４６に保留された抽選値は第１保留手段１４４に保留された抽選値より優先的に消化されて図柄変動が表示される。そのため、第１保留手段１４４に大当りの抽選値が保留されていても第２保留手段１４６に保留がある限りは第１保留手段１４４の大当り抽選値に対応する図柄変動は表示されない。したがって、第１保留手段１４４に大当りの保留があっても、さらに第２保留手段１４６へ大当りの保留が入るまで打ち続けることで、複数回の連続的な大当りを獲得できる可能性がある。
【００６５】
メイン表示制御手段１１８は、第１特図制御手段１４８、第２特図制御手段１５０、普図制御手段１５３を含む。第１特図制御手段１４８は、第１抽選手段１２６による第１の抽選の結果として決定された変動パターンにしたがい第１特別図柄１９２の変動を第１特別図柄表示装置７０に表示させる。第１特図制御手段１４８は、それ以前になされた第１の抽選または第２の抽選に対応する図柄の変動表示が終了していることを新たな図柄変動の開始条件とする。第２特図制御手段１５０は、第２抽選手段１２８による第２の抽選の結果として決定された変動パターンにしたがい第２特別図柄１９３の変動を第２特別図柄表示装置７１に表示させる。第２特図制御手段１５０もまた、それ以前になされた第１の抽選または第２の抽選に対応する図柄の変動表示が終了していることを新たな図柄変動の開始条件とする。
【００６６】
第１特図制御手段１４８は、第２保留手段１４６により第２の抽選の結果が保留されている場合は第１の抽選に対応する図柄変動表示の開始を留保する。一方、第２特図制御手段１５０は、第１保留手段１４４により第１の抽選の結果が保留されているか否かにかかわらず第２の抽選に対応する図柄変動表示を開始する。これにより、第１保留手段１４４と第２保留手段１４６の双方によって抽選値が保留されていた場合、第２保留手段１４６によって保留された抽選値が優先的に読み出されて図柄変動が表示される。そのような場合、第２保留手段１４６の保留数が０になるまでは第１保留手段１４４に保留された抽選値は読み出されずその図柄変動も開始しない。
【００６７】
第１特図制御手段１４８および第２特図制御手段１５０は、第１特別図柄１９２および第２特別図柄１９３の変動表示を開始するタイミングと停止するタイミングにて、変動開始コマンドと変動停止コマンドを演出表示制御手段１３４へ送信する。変動開始コマンドを送信するとき、決定された当否判定結果、停止図柄、変動パターンのそれぞれを示す値と第１の抽選と第２の抽選のいずれであるかを示す値とを変動開始コマンドとともに演出表示制御手段１３４へ送信する。変動停止コマンドを送信するとき、あらためて停止図柄を示す値を変動停止コマンドとともに演出表示制御手段１３４へ送信する。これにより、メイン表示制御手段１１８および演出表示制御手段１３４による変動表示が同期し、連動が保たれる。普図制御手段１５３は、普図抽選手段１３６による抽選の結果を普通図柄の変動表示として普通図柄表示装置５９に表示させる。
【００６８】
条件保持手段１７６は、大入賞口の開放を伴う単位遊技を複数回含む特別遊技へ移行するための条件として特別遊技作動条件を保持する。特別遊技作動条件は、第１の抽選または第２の抽選で特別遊技へ移行する旨を示す結果となり、その抽選に対応する図柄変動が停止したことを条件の内容とする。
【００６９】
特別遊技制御手段１２０は、第１抽選手段１２６による第１の抽選が特別遊技への移行を示す結果となった場合、第１特別図柄１９２が所定の大当り態様で停止されたときに特別遊技作動条件が成立したと判定し、第１大入賞口９１を開放させることにより特別遊技を実行する。同様に、特別遊技制御手段１２０は、第２抽選手段１２８による第２の抽選が特別遊技への移行を示す結果となった場合、第２特別図柄１９３が所定の大当り態様で停止されたときに特別遊技作動条件が成立したと判定し、第２大入賞口９２を開放させることにより特別遊技を実行する。特別遊技は、第１大入賞口９１または第２大入賞口９２の開閉動作を複数回数連続して継続する遊技であり、１回の開閉を単位とした複数回の単位遊技で構成される。
【００７０】
特別遊技には、相対的に出玉の多くなる態様で第１大入賞口９１または第２大入賞口９２を開閉させる第１の特別遊技と、相対的に出玉の少なくなる態様で第１大入賞口９１または第２大入賞口９２を開閉させる第２の特別遊技と、が含まれる。第１の特別遊技は、単位遊技を１５回繰り返す１５Ｒ大当りに伴う特別遊技である。第２の特別遊技は、短い単位遊技を２回だけ繰り返す２Ｒ大当りに伴う特別遊技である。特別遊技制御手段１２０は、１５Ｒ大当りにおいては、１回の単位遊技において第１大入賞口９１または第２大入賞口９２を原則として約３０秒間開放させる。特別遊技制御手段１２０は、単位遊技の設定ラウンド数を消化したときに特別遊技を終了させる。
【００７１】
小当り遊技制御手段３３０は、第１抽選手段１２６による第１の抽選が小当り遊技への移行を示す結果となった場合、第１特別図柄１９２が所定の小当り態様で停止されたときに小当り遊技作動条件が成立したと判定し、第１大入賞口９１を開放させることにより小当り遊技を実行する。同様に、小当り遊技制御手段３３０は、第２抽選手段１２８による第２の抽選が小当り遊技への移行を示す結果となった場合、第２特別図柄１９３が所定の小当り態様で停止されたときに小当り遊技作動条件が成立したと判定し、第２大入賞口９２を開放させることにより小当り遊技を実行する。小当り遊技は、第１大入賞口９１または第２大入賞口９２の開閉動作を複数回行う遊技であり、２回の開閉を単位とした１回の単位遊技で構成される。小当り遊技においては、第１大入賞口９１または第２大入賞口９２を２Ｒ大当りと同様に短時間だけ開放させる。小当り遊技制御手段３３０は、単位遊技を１回実行した後に小当り遊技を終了させる。
【００７２】
特定遊技実行手段１２２は、特別遊技の終了後から次の大当りが発生するまでの期間、あらたに大当りを獲得する容易性が通常状態より有利となる特定遊技の状態に移行させる。特定遊技には、確変と時短が含まれる。特定遊技実行手段１２２は、第１の抽選と第２の抽選のいずれの結果に起因する特別遊技であったかにかかわらずその特別遊技の終了後に必ず第１特別図柄１９２および第２特別図柄１９３の時短状態へ移行させる。一方、特別遊技の終了後に確変状態へ移行させるのは、第１図柄決定手段３２０または第２図柄決定手段３２２により決定された図柄が、確変状態への移行を伴う１５Ｒ大当り図柄もしくは確変状態への移行を伴う２Ｒ大当り図柄であった場合に限られる。
【００７３】
確変状態の間は第１当否判定手段１１３または第２当否判定手段１１７による当否判定結果が大当りとなる確率が通常状態より高められる。第１特別図柄１９２、第２特別図柄１９３の時短状態は、次の大当りが発生するまで継続される。
【００７４】
第１特別図柄１９２および第２特別図柄１９３の時短中は、特定遊技の一つである入球容易状態が実施される。入球容易状態は、普通図柄の時短、開放抽選の確率変動、普通電動役物６５の開放延長が実施されることにより第２始動入賞口６３への入球容易性が高められる状態である。普通図柄の時短は、普通図柄の変動時間が通常状態より短縮される状態である。開放抽選の確率変動は、開放抽選の当り確率を通常状態より高める状態である。普通電動役物６５の開放延長は、普通電動役物６５の開放時間を通常状態よりも長くする状態である。
【００７５】
このように、入球容易状態においては、一定時間あたりの普通図柄の変動回数が通常状態よりも増加する可能性が高まる上、第２始動入賞口６３への入球容易性も増すため、第２始動入賞口６３への入球数が増加する可能性も高い。したがって、第１特別図柄１９２、第２特別図柄１９３の時短および入球容易状態により、その期間中は第２始動入賞口６３への入球による賞球を得られる機会が増加する結果、持ち玉をほとんど減らさずに遊技し続けることが可能となる。また、時短中は第１始動入賞口６２より第２始動入賞口６３への入球容易性が高くなるため、遊技者はいわゆる右打ちをするために第２始動入賞口６３への入球を狙った強度にて遊技球を発射することとなる。
【００７６】
なお、本実施例における入球容易状態は、普通図柄の時短、開放抽選の確率変動、普通電動役物６５の開放延長という３つの機能を用いて第２始動入賞口６３への入球容易性を高める。ただし変形例としては、これら３つの機能のうち、１つまたは２つの機能を用いて第２始動入賞口６３への入球容易性を高める構成としてもよい。このように３つの機能のうち一部だけを用いても第２始動入賞口６３への入球容易性を高めることは可能である。また、３つの機能のうち少なくともいずれかを、実施する期間と実施しない期間とで遊技状態に応じて切り替える構成としてもよい。
【００７７】
図３に戻り、開閉制御手段１２４は、第２始動入賞口６３の普通電動役物６５や第１大入賞口９１、第２大入賞口９２の開閉を制御する。開閉制御手段１２４は、普通図柄が特定の態様で停止されると、普通電動役物ソレノイド７６に開放指示を送り、第２始動入賞口６３の普通電動役物６５を開放させる。開閉制御手段１２４は、特別遊技において、大入賞口ソレノイド８０または大入賞口ソレノイド８１に開放指示を送り、第１大入賞口９１または第２大入賞口９２を開放させる。
【００７８】
操作検出手段１３３は、操作ボタン８２に対する遊技者の操作入力の内容を取得する。具体的には、操作ボタン８２における左ボタンが押下された場合、中ボタンが押下された場合、右ボタンが押下された場合のそれぞれにおいて、押下されたボタンの種類を示す情報を取得する。
【００７９】
演出記憶手段１３０は、装飾図柄の変動演出パターンとして複数の変動演出パターンデータを保持する。演出決定手段１３２は、第１抽選手段１２６から受け取る第１の抽選の結果または第２抽選手段１２８から受け取る第２の抽選の結果に応じて、演出表示制御手段１３４によって演出図柄表示装置６０へ表示させる演出内容を決定する。演出決定手段１３２は、第１パターン決定手段１１４または第２パターン決定手段１１９により決定された特別図柄の変動パターンに対応する複数の変動演出パターンデータの中からいずれかを選択して演出記憶手段１３０から読み出す。演出決定手段１３２は、装飾図柄１９０の停止図柄の組合せを第１抽選手段１２６または第２抽選手段１２８が決定する特別図柄の停止図柄や変動パターンに基づいて決定する。
【００８０】
装飾図柄１９０の停止図柄は、３つの図柄の組合せとして形成され、たとえば第１抽選手段１２６または第２抽選手段１２８による当否判定結果が１５Ｒ大当りの特別遊技への移行を示す場合には特定の組合せ、例えば「７７７」や「１１１」のように３つの図柄が揃った組合せが選択される。この場合、装飾図柄１９０として揃える数字には、第１特別図柄１９２や第２特別図柄１９３と同じ数字が選ばれるのが好ましい。たとえば、第１特別図柄１９２または第２特別図柄１９３が「７」の場合は装飾図柄１９０が「７７７」となる。あるいは、３つの図柄の少なくとも一つに当りであることを示す特定の図柄が含まれる図柄の組み合わせによっても、その大当りを示すようにしてもよい。当否判定結果が２Ｒ大当りの場合や小当りの場合もまた特定の組合せ、例えば「３５７」のような所定の組合せが選択されるが、それらの特定の組合せは必ずしも３つの図柄が揃った組合せでなくてもよい。当否判定結果が大当りでも小当りでもない場合は、「３１２」や「９４６」のように３つの図柄が揃っていない組合せであって、２Ｒ大当りや小当りのときに選択される特定の組合せに該当しない組合せが選択される。当否判定結果が１５Ｒ大当りではない場合であって、リーチ付きの外れを示す変動パターンが選択された場合は、「１９１」や「７２７」のように一つだけ図柄が揃っていない組合せを選択する。演出決定手段１３２は、装飾図柄１９０の停止図柄組合せと装飾図柄の変動演出パターンデータを演出表示制御手段１３４へ送る。
【００８１】
装飾図柄の変動演出パターンデータには、装飾図柄の変動表示態様、すなわち装飾図柄の変動開始から変動停止までの変動過程と演出過程が定義される。変動演出パターンには、あと一つ図柄が揃えば大当りとなるリーチ状態を経てから当り態様または外れ態様である停止図柄組合せを表示するリーチパターンと、リーチ状態を経ずに外れ態様である停止図柄組合せを表示するリーチなしパターンが含まれる。特に、リーチ状態を経るときのパターンとしては、長短様々な変動時間をもつパターンが含まれ、相対的に変動時間の短いリーチパターンを「ノーマルリーチ」と称し、変動時間の長いリーチパターンを「スーパーリーチ」と称する。各変動演出パターンには、その図柄変動の終了条件としてパターンごとに変動時間が定められており、その変動時間の経過時に図柄変動が停止される。演出決定手段１３２は、特別図柄の変動パターンに応じて、特別図柄と変動時間が等しい装飾図柄の変動演出パターンを選択する。
【００８２】
なお演出記憶手段１３０は、装飾図柄の変動表示とは別に表示されて大当りへの期待度の高さを予告的に示唆する複数の予告演出パターンをさらに保持する。予告演出パターンは、特定のキャラクタやモチーフの画像、アニメーション、映像などを一時的に画面表示させる演出パターンや、特定の音声を出力する演出パターンである。予告演出パターンによる演出は、図柄変動と並行して実行され、その図柄変動が大当り態様にて停止する期待度が高いことを予告的に示唆する。演出決定手段１３２は、メイン基板１０２における当否抽選の結果、特別図柄の停止図柄、特別図柄の変動パターン、装飾図柄の変動演出パターンに応じて予告演出パターンを決定する。そして、決定した予告演出パターンのデータを演出表示制御手段１３４へ送る。
【００８３】
演出表示制御手段１３４は、第１演出制御手段１６８、第２演出制御手段１７０および特別遊技演出制御手段１７１を含む。演出表示制御手段１３４は、遊技効果ランプ９０の点灯および消灯や、スピーカ１８からの音声出力などの演出処理をさらに制御する。
【００８４】
第１演出制御手段１６８および第２演出制御手段１７０は、第１抽選手段１２６による第１の抽選の結果または第２抽選手段１２８による第２の抽選の結果を、選択された変動演出パターンデータにしたがって装飾図柄１９０として演出図柄表示装置６０の表示領域１９４に変動表示させる。第１演出制御手段１６８および第２演出制御手段１７０は、それ以前の第１の抽選または第２の抽選に対応する装飾図柄１９０の変動表示が終了していることを新たな図柄変動の開始条件とする。特別遊技演出制御手段１７１は、特別遊技制御手段１２０により特別遊技が実行される場合、特別遊技における演出内容を定めた演出データにしたがって演出図柄表示装置６０の表示領域１９４に特別遊技の演出を表示させる。
【００８５】
第１演出制御手段１６８は、第２保留手段１４６により第２の抽選の結果が保留されている場合は第１の抽選に対応する図柄変動表示の開始を留保する。第２演出制御手段１７０は、第１保留手段１４４により第１の抽選の結果が保留されているか否かにかかわらず第２の抽選に対応する図柄変動表示を開始する。これにより、第１保留手段１４４と第２保留手段１４６の双方によって抽選値が保留されていた場合は第２保留手段１４６により保留された抽選値が優先的に読み出されて装飾図柄の変動が表示される。そのような場合、第２保留手段１４６の保留数が０になるまでは第１保留手段１４４に保留された抽選値は読み出されずその装飾図柄の変動も開始しない。このように演出表示制御手段１３４は、装飾図柄１９０の変動表示を含む図柄変動演出を演出図柄表示装置６０に表示させる。
【００８６】
次に、本実施例における特徴的な演出制御について説明する。
演出記憶手段１３０は、特別遊技の実行中の演出内容、例えば演出図柄表示装置６０に表示させるべきアニメーションの内容や、スピーカ１８から出力させるべき音声の内容を定めた特別遊技演出のデータを保持する。１５Ｒ特別遊技における特別遊技演出は、特別遊技の１ラウンド開始前の演出内容を定めた開始デモと、最終ラウンド終了後の演出内容を定めた終了デモを含む。また演出記憶手段１３０は、３種の操作ボタン８２のいずれかを押すよう遊技者を促し、その三択に正解することで連荘となることを遊技者へ示唆するための演出内容を定めた選択演出のデータ（画像データ等）を保持する。
【００８７】
図８は、演出図柄表示装置６０における選択演出の表示例を示す。同図で示すように、選択演出では多肢択一式問題を模した画像を表示し、操作ボタン８２の左ボタン・中ボタン・右ボタンのそれぞれを示すボタンオブジェクト２３０を、遊技者が選択可能な選択肢として提示する。また、３つの操作ボタン８２の中からいずれかを押すよう遊技者を促すメッセージであり、正解した場合には連荘が発生することを示唆するメッセージを表示する。また選択演出では、操作ボタン８２の選択入力に対する制限時間（例えば４秒）が設けられており、遊技者はその制限時間内に操作ボタン８２のいずれかのボタンを押下する必要がある。なお、演出図柄表示装置６０の表示領域１９４にはタッチパネルが設けられてもよく、この場合、遊技者はボタンオブジェクト２３０が示すいずれかのボタン画像をタップすることにより特定のボタンを選択してもよい。
【００８８】
また演出記憶手段１３０は、選択演出に対する遊技者の選択結果が正解である旨、および、保留内連荘が発生する旨を遊技者へ報知するための演出内容を定めた保留内連荘報知演出のデータ（画像データ等）を保持する。保留内連荘報知演出は、例えば、「正解！連荘確定！！」等のメッセージを表示する演出であってもよい。また保留内連荘報知演出は、遊技盤の所定箇所に設けられた役物が、予め定められた態様で動作する演出でもよく、例えば所定のキャラクタを模した役物が初期位置から落下する演出であってもよい。
【００８９】
また演出記憶手段１３０は、保留内連荘報知演出の後に実行される演出であり、次の特別遊技における特別遊技演出に対して継続性のある内容の演出（以下、「継続演出」とも呼ぶ。）のデータを保持する。継続演出は、特別遊技の開始デモと外観上の共通性を有する演出であってもよく、例えば開始デモの演出内容と一貫性のある連続演出（連続するストーリのアニメーション等）を定めたものであってもよい。また継続演出は、特別遊技演出と同じ背景画像を表示するものであってもよく、特別遊技演出での音声と同一もしくは関連する音声を出力するものであってもよく、１回以上の図柄変動に亘り連続して大当りの発生を予告するものであってもよい。なお演出記憶手段１３０は、大当りが保留された位置、言い換えれば、特別遊技終了後、次の大当りが発生するまでの図柄変動回数に応じた複数種類の継続演出を保持してもよい。例えば、特別遊技終了後、３回目の図柄変動で大当りとなる場合の、１回目の図柄変動用の継続演出のデータ、２回目の図柄変動用の継続演出のデータ等を保持してもよい。
【００９０】
演出決定手段１３２は、選択演出全体において遊技者の選択結果が正解となる確率（以下、「全体正解確率」とも呼ぶ。）が、選択肢の数により期待される正解確率の近傍値となるよう制御する。この全体正解確率は、選択演出が多くの回数実行された場合の正解確率であるとも言え、また、選択演出において遊技者が特定のボタンを選択入力した場合に保留内連荘報知演出が表示される確率であるとも言える。本実施例では三肢択一の選択演出を提示し、この選択演出に回答する遊技者は期待される正解確率を３分の１と直感すると想定されるため、全体正解確率が３分の１の近似値となるよう制御する。言い換えると、遊技者は複数の選択肢のそれぞれを選択した場合の正解確率が同等となることを期待すると考えられる。したがって、演出決定手段１３２は、それぞれの選択肢の正解確率が３分の１の近似値となるよう、すなわち全体正解確率が３分の１と同等の値となるよう制御する。例えば、全体正解確率が３０％〜３５％の範囲の値になるよう制御してもよい。
【００９１】
また選択演出において遊技者の選択結果が正解であった場合はその後に保留内連荘を報知するため、保留内連荘が発生する場合に限り遊技者の選択結果を正解とすることができる。言い換えると、保留内連荘が発生しない場合は遊技者の選択結果にかかわらず常に不正解とする必要があり、保留内連荘が発生しない場合に遊技者の選択結果を正解とする確率は０である。しかし、選択演出の実行が即保留内連荘確定となっては選択演出の意義を損なうため、保留内連荘が発生しない場合にもある程度は選択演出を実行する必要がある。したがって、保留内連荘が発生する場合に遊技者の選択結果を正解とする確率（以下、「連荘時正解確率」とも呼ぶ。）は、全体正解確率より大きい値に設定する必要がある。本実施例では３分の２に設定される。
【００９２】
変形例として、選択演出で提示する選択肢の数は３以外であってもよい。例えば、５つの選択肢を提示し、そのうちの２つが正解であることを遊技者に示唆してもよい。この場合、全体正解確率は５分の２とすべき一方、保留内連荘が発生しない場合に遊技者の選択結果を正解とする確率は０であるため、連荘時正解確率は５分の２よりも大きな値に設定される。
【００９３】
本実施例では１５Ｒ特別遊技中に選択演出を所定確率で実行する。具体的には、１５Ｒ特別遊技中に選択演出を実行する確率として、保留内連荘が発生するときに選択演出を実行する確率（以下、「保留内連荘時演出確率」とも呼ぶ。）と、保留内連荘が発生しないときに選択演出を実行する確率（以下、「保留内非連荘時演出確率」）とが予め設定される。ぱちんこ遊技機１０では、特別遊技の最終ラウンドまでの通常の（平均的な）保留個数（例えば７個）が統計的に想定され、その保留個数と予め定められた大当り確率により、保留内連荘が発生する確率（例えば２５％）が求まる。本実施例では、保留内連荘の発生確率にもとづき、選択演出を実行した場合に保留内連荘である確率が５０％となるように、保留内連荘時演出確率と保留内非連荘時演出確率とを定める。例えば、保留内連荘の発生確率が２５％である場合、保留内連荘時演出確率と保留内非連荘時演出確率とが３：１となるよう、保留内連荘時演出確率を７５％とし、保留内非連荘時演出確率を２５％としてもよい。選択演出を実行した場合に保留内連荘となる確率が５０％であれば、保留内連荘時には３分の２（連荘時正解確率）で正解となり、保留内非連荘時には常に不正解となるため、選択演出における全体正解確率は３分の１となる。
【００９４】
演出決定手段１３２は、第１抽選手段１２６から送信された事前判定結果のデータと、第２抽選手段１２８から送信された事前判定結果のデータをそれぞれ所定のメモリに格納する。演出決定手段１３２は、１５Ｒ特別遊技における１５回目の大入賞口（第１大入賞口９１または第２大入賞口９２）の開放が終了したことを検出すると、それまでに受け付けられた事前判定結果を参照して大当りの保留有無を判定する。言い換えると、１５Ｒ特別遊技終了後の通常遊技における図柄変動回数が保留の上限個数に達するまでの間に次の大当りが発生するか否かを判定する。判定の結果、大当りが保留されていた場合、保留内連荘時演出確率にしたがって選択演出の有無を決定する。また大当りが保留されていなかった場合、保留内非連荘時演出確率にしたがって選択演出の有無を決定する。
【００９５】
なお大当りが保留されていた場合、保留内連荘時演出確率に応じて抽選値範囲と選択演出の実行有無との対応関係を定めたテーブルを参照し、抽選値（乱数値）を取得して、その抽選値が属する抽選値範囲にしたがって選択演出の実行有無を決定してもよい。大当りが保留されていない場合も同様に、保留内非連荘時演出確率に応じて抽選値範囲と選択演出の実行有無との対応関係を定めたテーブルを参照し、抽選により選択演出の実行有無を決定してもよい。
【００９６】
また本実施例では保留内連荘の対象とする大当りを制限しないが、変形例として、遊技者へ提供する利益が相対的に小さい大当りは保留内連荘の対象から除外してもよい。例えば、１５Ｒ特別遊技中に、次の１５Ｒ大当りが保留されている場合に保留内連荘が発生すると判定する一方、２Ｒ大当りが保留されていても保留内連荘は発生しないと判定してもよい。また確変状態への移行を伴う大当りが保留されている場合に保留内連荘が発生すると判定する一方、確変状態への移行を伴わない大当りが保留されていても保留内連荘は発生しないと判定してもよい。またこれらの組み合わせとして、確変状態への移行を伴わない２Ｒ大当りについては保留内連荘の対象とする大当りから除外してもよい。この変形例によると、遊技者へ提供する利益が相対的に小さい大当りは保留内連荘報知演出の対象から除外することで、遊技者の期待感を無駄に煽ってしまうことを回避できる。
【００９７】
演出決定手段１３２は、選択演出の実行を決定すると、選択演出における正解条件を定めた正解条件テーブルを参照して、今回実行する選択演出の正解条件を決定する。図９は、正解条件テーブルを模式的に示す。演出決定手段１３２は、「０〜２５５」の範囲の乱数値を抽選値として取得し、大当りが保留されている場合、すなわち保留内連荘が発生する場合は、その抽選値が属する抽選値範囲と対応づけられた選択肢（図９の正解肢）を正解とする正解条件を決定する。例えば抽選値が「１００」の場合、正解の選択肢を中ボタンおよび右ボタンとする正解条件を決定する。その一方、保留内連荘が発生しない場合は抽選値にかかわらず、正解の選択肢がないことを示す正解条件、言い換えると、いずれのボタンも不正解であることを示す正解条件を決定する。なお変形例として演出決定手段１３２は選択演出における不正解の条件を定めたテーブルを参照して、今回実行する選択演出において不正解とする条件を決定してもよいことはもちろんである。
【００９８】
また演出決定手段１３２は、選択演出の実行を決定すると、選択演出の実行を演出表示制御手段１３４へ指示する。演出表示制御手段１３４の特別遊技演出制御手段１７１は、選択演出の実行が指示されると、特別遊技演出の出力を一旦停止する。そして、演出記憶手段１３０に保持された選択演出のデータにしたがって選択演出を所定の制限時間（例えば４秒間）表示させる。操作検出手段１３３は、制限時間内に操作ボタン８２の選択入力を検出すると、遊技者により選択入力された操作ボタン８２の種類（すなわち左ボタン・中ボタン・右ボタンのいずれか）を示す情報を演出決定手段１３２へ通知する。
【００９９】
演出決定手段１３２は、選択演出において遊技者が選択したボタンが正解条件と整合する場合、保留内連荘報知演出の実行を特別遊技演出制御手段１７１へ指示する。そして保留内連荘報知演出の終了後、特別遊技演出の再開（復帰）を特別遊技演出制御手段１７１へ指示する。その一方、演出決定手段１３２は選択演出において遊技者が選択したボタンが正解条件と不整合の場合は、保留内連荘報知演出の実行を指示することなく、特別遊技演出の再開を特別遊技演出制御手段１７１へ指示する。また制限時間内に操作ボタン８２の選択入力が未検出の場合も、保留内連荘報知演出の実行を指示することなく、特別遊技演出の再開を特別遊技演出制御手段１７１へ指示する。
【０１００】
演出決定手段１３２は、保留内連荘報知演出の実行を指示した場合、特別遊技終了後であり、次の特別遊技開始前の通常遊技の演出として、継続演出の実行を演出表示制御手段１３４へ指示する。演出表示制御手段１３４は、特別遊技の終了デモを表示後、通常遊技においては継続演出を表示させ、そして次の特別遊技の開始デモを表示させる。
【０１０１】
以上の構成による動作および制御の過程を以下説明する。
図１０は、ぱちんこ遊技機における基本的な動作過程を示すフローチャートである。まず、遊技球が第１始動入賞口６２、第２始動入賞口６３、一般入賞口７２、第１大入賞口９１、第２大入賞口９２などへ入賞した場合の処理を実行し（Ｓ１０）、通常遊技中であれば（Ｓ１２のＹ）、図柄変動などの通常遊技の制御処理を実行し（Ｓ１４）、通常遊技中でなければ（Ｓ１２のＮ）、特別遊技の制御処理を実行し（Ｓ１６）、小当り遊技の制御処理を実行する（Ｓ１７）。その後、Ｓ１０の入賞処理においてセットされた賞球数にて各種入賞に応じた賞球払出を処理する（Ｓ１８）。
【０１０２】
図１１は、図１０におけるＳ１０の入賞処理を詳細に示すフローチャートである。第１始動入賞口６２または第２始動入賞口６３に入球があった場合（Ｓ２０のＹ）、始動入賞口に対応する賞球数をセットする（Ｓ２２）。第１始動入賞口６２への入球であれば第１保留手段１４４による保留数が４未満であるか否かを参照し、第２始動入賞口６３への入球であれば第２保留手段１４６による保留数が４未満であるか否かを参照し、それぞれにさらなる保留が可能な状態であれば（Ｓ２４のＹ）、当否抽選値を取得する（Ｓ２６）。そして、その当否抽選値に基づいて当否を判定する事前判定処理を実行し（Ｓ２８）、当否抽選値を第１保留手段１４４または第２保留手段１４６に保留する（Ｓ３０）。Ｓ２０において第１始動入賞口６２または第２始動入賞口６３への入球がない場合はＳ２２からＳ３０までの処理をスキップする（Ｓ２０のＮ）。Ｓ２４において保留数が上限に達していてさらなる保留が不可能な場合はＳ２６からＳ３０までの処理をスキップする（Ｓ２４のＮ）。以上のＳ２０からＳ３０までの処理が始動入賞口への入球に対する入賞処理である。
【０１０３】
なお、本実施例では第１の遊技（第１当否判定手段１１３と第１図柄決定手段３２０）と第２の遊技（第２当否判定手段１１７と第２図柄決定手段３２２）の双方において事前判定として当否判定を実行する例としているが、変形例としては第１の遊技における事前判定と第２の遊技における事前判定とを異なる態様としてもよい。例えば、当否判定、図柄決定、パターン決定のうちいずれを事前判定として実行するかについての態様を第１の遊技と第２の遊技とで相違させてもよい。または、いずれか一方のみが事前判定を実行してその判定結果を送信する態様としてもよいし、確変中か否かといった遊技状態に応じていずれが事前判定を実行するかを切り替えてもよい。あるいは、第１の遊技と第２の遊技の双方において遊技状態に応じて事前判定を実行するか否かを決定する態様としてもよい。また、メイン基板１０２が事前判定結果をサブ基板１０４に送信しつつ、サブ基板１０４側で遊技状態に応じてその判定結果を利用するか否かを切り替えてもよい。
【０１０４】
一般入賞口７２に入球があった場合は（Ｓ３２のＹ）、一般入賞口７２に対応する賞球数をセットし（Ｓ３４）、一般入賞口７２への入球がないときはＳ３４をスキップする（Ｓ３２のＮ）。第１大入賞口９１または第２大入賞口９２に入球があった場合は（Ｓ３６のＹ）、第１大入賞口９１または第２大入賞口９２に対応する賞球数をセットする（Ｓ３８）。また、演出決定手段１３２は、演出表示装置６０に表示中の獲得賞球数を更新する（Ｓ３９）。第１大入賞口９１および第２大入賞口９２への入球がないときはＳ３８およびＳ３９をスキップする（Ｓ３６のＮ）。
【０１０５】
図１２は、図１１におけるＳ２８の事前判定処理を詳細に示すフローチャートである。まず、事前当否判定テーブルを参照して事前当否判定を実行し（Ｓ４０）、その判定結果として当否範囲を示す値を設定し（Ｓ４２）、事前図柄判定テーブルを参照して事前図柄判定を実行し（Ｓ４４）、その判定結果として図柄範囲を示す値を設定する（Ｓ４６）。メイン基板１０２の第１抽選手段１２６および第２抽選手段１２８は、以上のように事前判定結果の値を設定すると、保留される当否抽選値の種別（第１当否抽選値であるか第２当否抽選値か）を示す情報や、保留の個数を示す入賞情報とともに事前判定結果をサブ基板１０４（例えば演出決定手段１３２）へ送信する。具体的には、送信バッファに一時保存されて、サブ基板１０４側へ送信される（Ｓ５２）。
【０１０６】
図１３は、図１０におけるＳ１４の通常遊技制御処理の全体的な過程を示すフローチャートである。この通常遊技制御処理は、メイン基板１０２における特別図柄変動処理の実行と（Ｓ１５２）、サブ基板１０４における装飾図柄変動処理の実行とが（Ｓ１５４）、繰り返し処理されることとなる。
【０１０７】
図１４は、図１３におけるＳ１５２の特別図柄変動処理の実行処理を詳細に示すフローチャートである。まだ図柄変動表示が開始されていない場合（Ｓ６０のＮ）、第２保留手段１４６により抽選値の保留がなされている場合（Ｓ６２のＹ）、第２当否判定手段１１７が第２保留手段１４６から抽選値を読み出して第２特別図柄１９３の当否を判定し（Ｓ６４）、第２図柄決定手段３２２が第２特別図柄１９３を決定し（Ｓ６６）、第２パターン決定手段１１９が第２特別図柄１９３の変動パターンを決定し（Ｓ６８）、決定した結果とともに変動開始コマンドをサブ基板１０４へ送信して第２特別図柄１９３の図柄変動を開始する（Ｓ７７）。
【０１０８】
第２保留手段１４６により抽選値の保留がなされていない場合であって（Ｓ６２のＮ）、第１保留手段１４４により抽選値の保留がなされている場合（Ｓ７０のＹ）、第１当否判定手段１１３が第１保留手段１４４から抽選値を読み出してあらためて第１特別図柄１９２の当否を判定し（Ｓ７２）、第１図柄決定手段３２０が第１特別図柄１９２を決定し（Ｓ７４）、第１パターン決定手段１１４が第１特別図柄１９２の変動パターンを決定する（Ｓ７５）。決定した結果とともに変動開始コマンドをサブ基板１０４へ送信して第１特別図柄１９２の図柄変動を開始する（Ｓ７７）。第１保留手段１４４により抽選値の保留がなされていない場合はＳ７２からＳ７７までの処理をスキップする（Ｓ７０のＮ）。すでに図柄変動表示が開始されている場合（Ｓ６０のＹ）、特別図柄の図柄変動表示を処理し（Ｓ７８）、所定の変動時間が経過して図柄表示の停止タイミングに達したときは（Ｓ８０のＹ）、変動停止コマンドをサブ基板１０４へ送信して表示中の図柄変動を予め決定された停止図柄にて停止する（Ｓ８２）。図柄表示の停止タイミングに達していない場合はＳ８２の処理をスキップして本図のフローを終了する（Ｓ８０のＮ）。
【０１０９】
図１５は、図１３におけるＳ１５４の装飾図柄変動処理の実行処理を詳細に示すフローチャートである。サブ基板１０４の演出決定手段１３２がメイン基板１０２から変動開始コマンドを受信した場合（Ｓ１８０のＹ）、受信した特別図柄の停止図柄、変動パターン、当否判定結果に応じて装飾図柄の停止態様を決定する（Ｓ１８２）。先の特別遊技において保留内連荘報知演出を実行済であれば（Ｓ１８４のＹ）、予告演出パターンとして、次の特別遊技時の演出内容と継続性を有する内容の継続演出を選択する（Ｓ１８６）。先の特別遊技において保留内連荘報知演出を未実行であれば（Ｓ１８４のＮ）、Ｓ１８６をスキップするが、継続演出以外の予告演出パターンを選択してもよい。そして、演出決定手段１３２は装飾図柄の変動演出パターンを決定する（Ｓ１８８）。演出表示制御手段１３４は、演出決定手段１３２で決定された変動演出パターンにしたがって装飾図柄の変動表示を開始し、適宜演出決定手段１３２で決定された予告演出パターンにしたがって予告演出の表示を開始する（Ｓ１９６）。メイン基板１０２から変動開始コマンドを受信しなかった場合はＳ１８２からＳ１９６をスキップする（Ｓ１８０のＮ）。
【０１１０】
すでに装飾図柄の変動表示が開始済みであれば（Ｓ１９８のＹ）、その図柄変動の表示処理を実行し（Ｓ２００）、メイン基板１０２から変動停止コマンドを受信したときは（Ｓ２０２のＹ）、Ｓ１８２で決定された停止態様にて装飾図柄を停止表示させることで図柄変動表示を停止する（Ｓ２０４）。変動停止コマンドをメイン基板１０２から受信していないときはＳ２０４をスキップし（Ｓ２０２のＮ）、変動表示が開始済みでないときはＳ２００からＳ２０４をスキップする（Ｓ１９８のＮ）。
【０１１１】
図１６は、図１０におけるＳ１６の特別遊技処理を詳細に示すフローチャートである。まず初回ラウンドの開始前、すなわち第１大入賞口９１または第２大入賞口９２の１回目の開放がなされる前（Ｓ１００のＹ）、演出表示制御手段１３４は特別遊技の開始デモを表示させて、特別遊技の演出処理を開始する（Ｓ１０１）。初回ラウンドの開始後は（Ｓ１００のＮ）、Ｓ１０１をスキップする。第１大入賞口９１または第２大入賞口９２がまだ開放済でない場合（Ｓ１０２のＮ）、開閉制御手段１２４が第１大入賞口９１または第２大入賞口９２を開放する（Ｓ１０４）。第１大入賞口９１または第２大入賞口９２が開放済であればＳ１０４をスキップする（Ｓ１００のＹ）。第１大入賞口９１または第２大入賞口９２が開放されてから、所定の開放時間が経過した場合（Ｓ１０６のＹ）、または、開放時間が経過していないものの（Ｓ１０６のＮ）、第１大入賞口９１または第２大入賞口９２への入球数が９球以上に達した場合（Ｓ１０８のＹ）、開閉制御手段１２４が第１大入賞口９１または第２大入賞口９２を閉鎖させる（Ｓ１１０）。開放時間が経過しておらず（Ｓ１０６のＮ）、第１大入賞口９１または第２大入賞口９２への入球数も９球以上に達していない場合は（Ｓ１０８のＮ）、Ｓ１１０以降の処理をスキップしてＳ１６のフローを終了する。
【０１１２】
Ｓ１１０における第１大入賞口９１または第２大入賞口９２の閉鎖後、単位遊技が最終ラウンドに達していた場合（Ｓ１１２のＹ）、演出決定手段１３２は、保留内連荘の発生有無、保留内連荘時演出確率、および保留内非連荘時演出確率にしたがって選択演出の実行有無を決定する。選択演出の実行が決定された場合（Ｓ１１４のＹ）、後述の選択演出処理を実行する（Ｓ１１６）。選択演出を実行しないことが決定された場合（Ｓ１１４のＮ）、Ｓ１１６はスキップされる。演出表示制御手段１３４は特別遊技の終了デモを表示させた後、特別遊技の演出処理を終了させ（Ｓ１１８）、特別遊技制御手段１２０は特別遊技を終了させ（Ｓ１２０）、特定遊技を開始する（Ｓ１２２）。Ｓ１１２において単位遊技が最終ラウンドに達していなければ（Ｓ１１２のＮ）、ラウンド数に１を加算してＳ１６のフローを終了する（Ｓ１２４）。なお、選択演出の実行タイミングは最終ラウンドの終了後以外であってもよい。例えば、演出決定手段１３２は、特別遊技におけるラウンドのいずれか（もしくは所定のラウンド間）において、選択演出およびその続きの保留内連荘報知演出を実行してもよい。また、最終ラウンド終了後の終了デモの時間に、選択演出およびその続きの保留内連荘報知演出を実行してもよい。後述の第２実施例についても同様である。
【０１１３】
図１７は、図１６のＳ１１６の選択演出処理を詳細に示すフローチャートである。演出決定手段１３２は選択演出における正解条件を決定し（Ｓ１３０）、演出表示制御手段１３４は演出図柄表示装置６０において特別遊技演出の表示を一旦停止するとともに（Ｓ１３２）、選択演出を表示させる（Ｓ１３４）。所定の制限時間内に（Ｓ１３６のＹ）、遊技者による操作ボタン８２の選択入力を検出すると（Ｓ１３８のＹ）、演出決定手段１３２は遊技者の選択結果が正解か不正解かを判定する。遊技者の選択結果を未検出であれば（Ｓ１３８のＮ）、Ｓ１３６へ戻る。遊技者の選択結果が正解であれば（Ｓ１４０のＹ）、演出表示制御手段１３４は保留内連荘報知演出を実行する（Ｓ１４２）。そして演出表示制御手段１３４は、特別遊技演出を復帰させる（Ｓ１４４）。遊技者の選択結果が不正解であれば（Ｓ１４０のＮ）、Ｓ１４２をスキップする。また制限時間内に操作ボタン８２の選択入力を未検出であれば（Ｓ１３６のＮ）、Ｓ１３８〜Ｓ１４２をスキップする。
【０１１４】
図１８は、図１０におけるＳ１７の小当り遊技を詳細に示すフローチャートである。第１大入賞口９１または第２大入賞口９２が開放済でなければ（Ｓ２２０のＮ）、第１大入賞口９１または第２大入賞口９２の開放処理を実行し（Ｓ２２２）、開放済みであれば（Ｓ２２０のＹ）、Ｓ２２２をスキップする。所定の開放時間を経過した場合（Ｓ２２４のＹ）、第１大入賞口９１または第２大入賞口９２を閉鎖し（Ｓ２２６）、所定の開放時間を経過していなければ（Ｓ２２４のＮ）、Ｓ２２６以降をスキップする。Ｓ２２６における第１大入賞口９１または第２大入賞口９２の閉鎖後、設定回数分の開閉が終了していれば（Ｓ２２８のＹ）、小当り遊技を終了する（Ｓ２３０）。設定回数分の開閉が終了していなければ（Ｓ２２８のＮ）、開閉回数に１を加算してＳ１７のフローを終了する（Ｓ２３２）。
【０１１５】
第１実施例のぱちんこ遊技機１０によれば、選択演出に対する遊技者による操作入力の内容に応じて、実際に保留内連荘の報知演出の有無が切り替わる。したがって、遊技者は自力で報知演出を獲得することとなり、また、自力で保留内連荘を獲得したような感覚を遊技者に効果的に抱かせることができ、遊技者の達成感を高めることができる。また遊技者が選択演出に不正解となって保留内連荘が非報知となっても、その後、保留内連荘が発生することがあり、遊技者にとって意外性のある遊技性も実現できる。
【０１１６】
またぱちんこ遊技機１０によれば、遊技者が選択演出に正解すると必ず保留内連荘となるべき制約の下で、選択演出における全体正解確率を、選択肢の数により期待される正解確率、言い換えれば、選択演出において遊技者が直感しやすい正解確率と同等のものにできる。これにより、選択演出は一般的な多肢択一問題と同等の正解確率となるため、選択演出へ回答することへのインセンティブを遊技者へ提供することができる。
【０１１７】
また保留内連荘報知演出後、次の大当り演出に対して継続性のある内容の演出（継続演出）を表示させることにより、先の特別遊技と後の特別遊技との一体感を醸成でき、遊技の興趣を一層高めることができる。また選択演出を特別遊技の最終ラウンド後に実行することで、先の特別遊技と後の特別遊技との一貫性を遊技者に提示しやすくなる。また継続演出による先の特別遊技と後の特別遊技との一体感を醸成しやすくなる。
【０１１８】
（第２実施例）
第２実施例の概要をまず説明する。従来技術として既述したように、これまでの遊技機においても、遊技者による操作ボタンの操作を契機として、確変の獲得有無を遊技者へ提示することがあった。しかし、これまでの遊技機では確変の報知有無を予め遊技機内部で決定しており、遊技者の操作内容は確変の報知有無に影響を与えるものではなかった。したがって、これまでの遊技機の演出は、遊技者に自力で利益状態を獲得したような感覚を抱かせるには不十分であり、必ずしも遊技の興趣を高めるものではなかった。
【０１１９】
これに対し、本実施例のぱちんこ遊技機は、１５Ｒ特別遊技実行中の演出として、第１実施例と同様の選択演出を表示させる。そして、選択演出に対して遊技者が正解の選択肢を選択した場合、特別遊技終了後の通常遊技が確変状態であることを遊技者へ報知する演出を表示させる。その一方、遊技者が不正解の選択肢を選択した場合は、特別遊技終了後の通常状態が確変状態であるか否かにかかわらず、確変状態であるか否かを遊技者から秘匿する。すなわち、遊技状態が確変状態であるか否かを演出上、遊技者に明示せず、確変状態であるか否かを遊技者が判別することが困難な演出（以下、「潜伏演出」とも呼ぶ。）を表示させる。これにより、選択演出に対する遊技者の選択結果が確変移行の報知有無を決定するため、遊技者は自力で確変移行の報知演出を獲得することとなり、遊技者の達成感を高めて遊技の興趣を高める。
【０１２０】
本実施例のぱちんこ遊技機においても、第１実施例のぱちんこ遊技機と同様に、従来にいう第１種ぱちんこ遊技機に相当する遊技が複数混在する。その複数の遊技としての第１の遊技と第２の遊技とが、同時に実行されないよう第２の遊技が優先的に実行される。具体的には、本実施例のぱちんこ遊技機の外観およびメイン基板１０２の構成は、第１実施例のぱちんこ遊技機の構成（主に図１〜図７に関連して既述した内容）と共通であり、演出制御の態様が異なる。以下、相違点を中心に説明し、共通点の説明は適宜省略する。
【０１２１】
図１９は、第２実施例におけるぱちんこ遊技機１０の機能ブロックを示す。本実施例のぱちんこ遊技機１０のサブ基板１０４は、演出テーブル記憶手段１３１をさらに含む。
【０１２２】
演出記憶手段１３０は、３種の操作ボタン８２のいずれかを押すよう遊技者を促し、その三択に正解することで確変に移行されることを遊技者へ示唆するための演出内容を定めた選択演出のデータ（画像データ等）を保持する。図２０は、演出図柄表示装置６０における選択演出の表示例を示す。本実施例の選択演出の外観および制限時間の設定は第１実施例の選択演出と同様である。本実施例の選択演出では、３つの操作ボタン８２の中からいずれかを押すよう遊技者を促すメッセージであり、正解した場合には確変に移行することを示唆するメッセージを表示する。
【０１２３】
また演出記憶手段１３０は、選択演出に対する遊技者の選択結果が正解である旨、および、確変移行が発生する旨を遊技者へ報知するための演出内容を定めた確変報知演出のデータ（画像データ等）を保持する。確変報知演出は、例えば、「正解！確変獲得！！」等のメッセージを表示する演出であってもよい。また確変報知演出は、遊技盤の所定箇所に設けられた役物が予め定められた態様で動作する演出でもよく、例えば所定のキャラクタを模した役物が初期位置から落下する演出であってもよい。
【０１２４】
また演出記憶手段１３０は、特別遊技終了後の通常遊技が確変状態であることを遊技者へ報知する場合、言い換えれば、確変状態であることを明示する場合の演出パターン（以下、「確変演出パターン」とも呼ぶ。）のデータを保持する。確変演出パターンは、例えば、確変状態であることを遊技者に明示する態様で装飾図柄を変動表示させる変動演出パターンや、確変状態であることを遊技者に明示するアニメーションやメッセージを表示させる予告演出パターンであってもよく、これらの組み合わせでもよい。
【０１２５】
また演出記憶手段１３０は、特別遊技終了後の通常遊技が確変状態であることを遊技者から秘匿する場合であり、かつ、特別遊技終了後の通常遊技が確変状態でないことを遊技者から秘匿する場合の演出パターン（以下、「潜伏演出パターン」とも呼ぶ。）のデータを保持する。潜伏演出パターンは、遊技状態が確変状態であるか否かを遊技者に明示しないことにより、現在の遊技状態が確変状態であるか否かの遊技者による判別を困難にする演出パターンであると言える。潜伏演出パターンは、例えば、確変状態であるか否かにかかわらない共通の態様で装飾図柄を変動表示させる変動演出パターンや、確変状態と非確変状態の両方の可能性があることを遊技者に示唆するアニメーションやメッセージを表示させる予告演出パターンであってもよく、これらの組み合わせでもよい。
【０１２６】
演出テーブル記憶手段１３１は、複数種類の演出内容を定めた複数種類の演出テーブルを保持する。複数種類の演出テーブルのそれぞれは、所定の乱数発生器が出力する乱数値としての抽選値（以下、「演出用抽選値」とも呼ぶ。）と、演出パターン（変動演出パターンおよび予告演出パターン）との対応関係を定めたものである。またテーブル毎に演出パターンの選択傾向が異なるよう対応関係が定められている。
【０１２７】
演出テーブル記憶手段１３１により保持される複数種類の演出テーブルには、特別図柄の複数種類の変動パターンに対応する複数種類の確変演出パターンと、演出用抽選値との対応関係を定めた確変演出テーブルが含まれる。また、特別図柄の複数種類の変動パターンに対応する複数種類の潜伏演出パターンと、演出用抽選値との対応関係を定めた潜伏演出テーブルが含まれる。また、確変状態でない通常状態における演出パターンと、演出用抽選値との対応関係を定めた演出テーブル（以下、「通常状態演出テーブル」とも呼ぶ。）が含まれる。通常状態演出テーブルは、遊技状態が確変状態でないことを遊技者に明示する態様の演出パターンを含むものであってよい。
【０１２８】
演出決定手段１３２は、選択演出全体において遊技者の選択結果が正解となる確率（以下、「全体正解確率」とも呼ぶ。）が、選択肢の数により期待される正解確率の近傍値となるよう制御する。この全体正解確率は、選択演出が多くの回数実行された場合の正解確率であるとも言え、また、選択演出において遊技者が特定のボタンを選択入力した場合に確変報知演出が表示される確率であるとも言える。本実施例では三肢択一の選択演出を提示し、この選択演出に回答する遊技者は期待される正解確率を３分の１と直感すると想定されるため、全体正解確率が３分の１の近似値となるよう制御する。言い換えると、遊技者は複数の選択肢のそれぞれを選択した場合の正解確率が同等となることを期待すると考えられる。したがって、演出決定手段１３２は、それぞれの選択肢の正解確率が３分の１の近似値となるよう、すなわち全体正解確率が３分の１と同等の値となるよう制御する。例えば、全体正解確率が３０％〜３５％の範囲の値になるよう制御してもよい。
【０１２９】
また選択演出において遊技者の選択結果が正解であった場合はその後に遊技者へ確変移行を明示するため、確変移行が発生する場合に限り遊技者の選択結果を正解とすることができる。言い換えると、確変移行が発生しない場合は遊技者の選択結果にかかわらず常に不正解とする必要があり、確変移行が発生しない場合に遊技者の選択結果を正解とする確率は０である。しかし、選択演出の実行が即確変確定となっては選択演出の意義を損なうため、確変移行が発生しない場合にもある程度は選択演出を実行する必要がある。したがって、確変移行が発生する場合に遊技者の選択結果を正解とする確率（以下、「確変時正解確率」とも呼ぶ。）は、全体正解確率より大きい値に設定する必要がある。本実施例では３分の２に設定される。
【０１３０】
変形例として、選択演出で提示する選択肢の数は３以外であってもよい。例えば、５つの選択肢を提示し、そのうちの２つが正解であることを遊技者に示唆してもよい。この場合、全体正解確率は５分の２とすべき一方、確変移行が発生しない場合に遊技者の選択結果を正解とする確率は０であるため、確変時正解確率は５分の２よりも大きな値に設定される。
【０１３１】
ここで、１５Ｒ特別遊技中に選択演出を実行する確率として、確変移行が発生するときに選択演出を実行する確率（以下、「確変時演出確率」とも呼ぶ。）と、確変移行が発生しないときに選択演出を実行する確率（以下、「非確変時演出確率」）とが予め設定される。ぱちんこ遊技機１０では、図柄抽選値と大当り種類との対応関係の設定により、１５Ｒ大当りにおいて確変移行を伴う確率が定まる。図５の例では、第１の抽選における１５Ｒ特別遊技後の確変：非確変の割合は１：１であり、第２の抽選における１５Ｒ特別遊技後の同割合は約３：２である。本実施例では、確変移行確率にもとづき、選択演出を実行した場合に確変移行の発生確率が５０％となるように、確変時演出確率と非確変時演出確率とを定める。例えば第１の抽選の１５Ｒ特別遊技においては、確変時演出確率と非確変時演出確率が１：１となるよう、確変時演出確率を５０％とし、非確変時演出確率を５０％としてもよい。また第２の抽選の１５Ｒ特別遊技においては、確変時演出確率と非確変時演出確率が２：３となるよう、確変時演出確率を４０％とし、非確変時演出確率を６０％としてもよい。選択演出を実行した場合に確変移行の発生確率が５０％であれば、確変移行時には３分の２（確変時正解確率）で正解となり、非確変時には常に不正解となるため、選択演出における全体正解確率は３分の１となる。
【０１３２】
演出決定手段１３２は、第１図柄決定手段３２０または第２図柄決定手段３２２により決定された図柄が、確変状態への移行を伴う１５Ｒ大当り図柄であった場合、１５Ｒ特別遊技終了後に確変移行が発生すると判定する。その一方、第１図柄決定手段３２０または第２図柄決定手段３２２により決定された図柄が、確変状態への移行を伴わない１５Ｒ大当り図柄であった場合、１５Ｒ特別遊技終了後に確変移行が発生しないと判定する。演出決定手段１３２は、１５Ｒ特別遊技終了後に確変移行が発生する場合、確変時演出確率にしたがって選択演出の実行有無を決定し、１５Ｒ特別遊技終了後に確変移行が発生しない場合、非確変時演出確率にしたがって選択演出の実行有無を決定する。
【０１３３】
なお、確変移行が発生する場合、確変時演出確率に応じて抽選値範囲と選択演出の実行有無との対応関係を定めたテーブルを参照し、抽選値（乱数値）を取得して、その抽選値が属する抽選値範囲にしたがって選択演出の実行有無を決定してもよい。確変移行が発生しない場合も同様に、非確変時演出確率に応じて抽選値範囲と選択演出の実行有無との対応関係を定めたテーブルを参照し、抽選により選択演出の実行有無を決定してもよい。
【０１３４】
演出決定手段１３２は、選択演出の実行を決定すると、選択演出における正解条件を定めた正解条件テーブルを参照して、今回実行する選択演出の正解条件を決定する。図２１は、正解条件テーブルを模式的に示す。演出決定手段１３２は、「０〜２５５」の範囲の乱数値を抽選値として取得し、特別遊技終了後に確変移行が発生する場合は、その抽選値が属する抽選値範囲と対応づけられた選択肢（図２１の正解肢）を正解とする正解条件を決定する。例えば抽選値が「１００」の場合、正解の選択肢を中ボタンおよび右ボタンとする正解条件を決定する。その一方、確変移行が発生しない場合は抽選値にかかわらず、正解の選択肢がないことを示す正解条件、言い換えると、いずれのボタンも不正解であることを示す正解条件を決定する。なお変形例として演出決定手段１３２は選択演出における不正解の条件を定めたテーブルを参照して、今回実行する選択演出において不正解とする条件を決定してもよいことはもちろんである。
【０１３５】
また演出決定手段１３２は、選択演出の実行を決定すると、選択演出の実行を演出表示制御手段１３４へ指示する。演出表示制御手段１３４の特別遊技演出制御手段１７１は、選択演出の実行が指示されると、特別遊技演出の出力を一旦停止する。そして、演出記憶手段１３０に保持された選択演出のデータにしたがって選択演出を所定の制限時間（例えば４秒間）表示させる。操作検出手段１３３は、制限時間内に操作ボタン８２の選択入力を検出すると、遊技者により選択入力された操作ボタン８２の種類（すなわち左ボタン・中ボタン・右ボタンのいずれか）を示す情報を演出決定手段１３２へ通知する。
【０１３６】
演出決定手段１３２は、選択演出において遊技者が選択したボタンが正解条件と整合する場合、確変報知演出の実行を特別遊技演出制御手段１７１へ指示する。そして確変報知演出の終了後、特別遊技演出の再開（復帰）を特別遊技演出制御手段１７１へ指示する。その一方、演出決定手段１３２は選択演出において遊技者が選択したボタンが正解条件と不整合の場合は、確変報知演出の実行を指示することなく、特別遊技演出の再開を特別遊技演出制御手段１７１へ指示する。また制限時間内に操作ボタン８２の選択入力が未検出の場合も、確変報知演出の実行を指示することなく、特別遊技演出の再開を特別遊技演出制御手段１７１へ指示する。
【０１３７】
演出決定手段１３２は、確変報知演出の実行を指示した場合、すなわち選択演出に対する遊技者の選択結果が正解であった場合、特別遊技終了後の通常遊技において確変演出テーブルを選択して演出内容を決定する。具体的には、演出抽選値を取得して、その抽選値と対応づけられた確変演出パターンを演出記憶手段１３０から取得して演出表示制御手段１３４へ渡す。また演出決定手段１３２は、選択演出に対する遊技者の選択結果が不正解もしくは選択演出に対して遊技者が未回答であった場合、特別遊技終了後の通常遊技において潜伏演出テーブルを選択して演出内容を決定する。具体的には、演出抽選値を取得して、その抽選値と対応づけられた潜伏演出パターンを演出記憶手段１３０から取得して演出表示制御手段１３４へ渡す。
【０１３８】
なお本実施例では、演出決定手段１３２は選択演出そのものを未実行であった場合、１５Ｒ特別遊技終了後に確変移行が発生するときには確変演出パターンを選択して演出内容を決定することとする。その一方、１５Ｒ特別遊技終了後に確変移行が発生しないときには通常状態演出テーブルを選択して演出内容を決定することとする。したがって、選択演出が実行され、かつ、その選択演出に対する遊技者の回答が不正解であった場合に、いわゆる潜伏状態（確変と非確変の両方の可能性を示す潜伏演出を表示する状態）となる。
【０１３９】
以上の構成による動作および制御の過程を以下説明する。
図１０〜図１４、図１８の動作は第１実施例と同じである。図１５においては、Ｓ１８４およびＳ１８６を実行しない。ただし、１５Ｒ特別遊技終了後の通常遊技におけるＳ１８４として、通常状態演出テーブル・確変演出テーブル・確変演出テーブルのいずれかを参照して変動演出パターンおよび予告演出パターンを決定する。また図１７においては、Ｓ１４２として、確変報知演出を実行する。
【０１４０】
図２２は、図１０のＳ１６の特別遊技制御処理を詳細に示すフローチャートであり、第１実施例の図１６に対応する。第２実施例では、特別遊技制御手段１２０が特別遊技を終了した後、演出決定手段１３２は演出テーブル選択処理をさらに実行する（Ｓ１２１）。
【０１４１】
図２３は、図２２のＳ１２１の演出テーブル選択処理を詳細に示すフローチャートである。選択演出を未実行で（Ｓ１５０のＮ）、かつ、確変移行が発生しない場合（Ｓ１５２のＮ）、演出決定手段１３２は、特別遊技終了後の通常遊技で参照すべき演出テーブルとして通常状態演出テーブルを選択する（Ｓ１５４）。確変移行が発生する場合は（Ｓ１５２のＹ）、演出決定手段１３２は確変演出テーブルを選択する（Ｓ１５６）。また選択演出を実行し（Ｓ１５０のＹ）、遊技者の選択結果が正解であった場合（Ｓ１５８のＹ）、演出決定手段１３２は確変演出テーブルを選択する（Ｓ１５６）。遊技者の選択結果が不正解であった場合は（Ｓ１５８のＮ）、演出決定手段１３２は潜伏演出テーブルを選択する（Ｓ１６０）。
【０１４２】
第２実施例のぱちんこ遊技機１０によれば、選択演出に対する遊技者による操作入力の内容に応じて、実際に確変報知演出の有無が切り替わる。したがって、遊技者は自力で確変報知演出を獲得することとなり、自力で確変を獲得したような感覚を遊技者に効果的に抱かせることができ、遊技者の達成感を高めることができる。
【０１４３】
なお、特別遊技中の確変報知演出は必須ではなく、選択演出に対する遊技者の選択結果が正解の場合に、以後の通常遊技における演出内容を確変演出テーブルを参照して決定する一方、不正解の場合は、以後の通常遊技における演出内容を確変演出テーブル以外の演出テーブルを参照して決定してもよい。確変演出テーブル以外の演出テーブルは、遊技状態が確変状態であるか否かを明示しない演出パターンを含むテーブルであり、その一方、遊技状態が確変状態であるか否かを明示する演出パターンが排除されたテーブルであってもよい。また例えば、通常状態演出テーブルであってもよい。ぱちんこ遊技機１０では、選択演出に対する遊技者による選択結果が正解であったことを条件として実際に確変演出テーブルを選択し、確変演出パターンによる演出を表示させる。これにより、確変移行の事実を遊技者が自力で表示させることとなり、自力で確変を獲得したような感覚を遊技者に効果的に抱かせることができる。
【０１４４】
また、選択演出は正解により潜伏状態を回避できるものであるため遊技者にとって利益となるものであり、遊技者の積極的な参加が期待できる。このようにぱちんこ遊技機１０によれば、参加することにより遊技者に実質的な利益がもたらされる遊技者参加型の演出を実現できる。
【０１４５】
また、これまで非確変状態での潜伏演出は遊技者の不満を高めることがあったが、ぱちんこ遊技機１０では選択演出に対する遊技者の回答が不正解の場合に潜伏演出を表示する。したがって仮に潜伏状態となっても、その原因は選択演出に対する遊技者の選択が悪かったためであると遊技者に感得させやすくなり、遊技者の不満が高まることを抑制しやすくなる。
【０１４６】
またぱちんこ遊技機１０によれば、遊技者が選択演出に正解すると必ず確変移行が発生すべき制約の下で、選択演出における全体正解確率を、選択肢の数により期待される正解確率、言い換えれば、選択演出において遊技者が直感しやすい正解確率と同等のものにできる。これにより、選択演出は一般的な多肢択一問題と同等の正解確率となるため、選択演出へ回答することへのインセンティブを遊技者へ提供することができる。
【０１４７】
以上、本発明を実施例をもとに説明した。この実施例はあくまで例示であり、それらの各構成要素や各処理プロセスの組合せにいろいろな変形例が可能なこと、またそうした変形例も本発明の範囲にあることは当業者に理解されるところである。以下、変形例について述べる。
【０１４８】
第１の変形例を説明する。
上記の第１実施例における演出決定手段１３２は、特別遊技終了後に保留内連荘が発生し、かつ、所定の加重条件を充足する場合に、選択演出において正解の選択肢を遊技者へ提示してもよい。また上記の第２実施例における演出決定手段１３２は、特別遊技終了後に確変移行が発生し、かつ、所定の加重条件を充足する場合に、選択演出において正解の選択肢を遊技者へ提示するナビゲーション演出をさらに実行してもよい。ナビゲーション演出としては、例えば、選択演出において正解の選択肢を示すメッセージを付加的に表示させてもよい。また、正解の選択肢を不正解の選択肢より強調した態様で示すボタンオブジェクト２３０を含む選択演出のデータを表示させてもよい。加重条件は、所定確率で当選となる抽選を実行して、当該抽選に当選したことであってもよい。また、先に実行した選択演出に対して遊技者が制限時間内に回答し（すなわち未回答でなく）、かつ、遊技者の回答が不正解となったことでもよい。この態様によると、選択演出において遊技者が正解のボタンを選択入力できるよう支援できる。また、遊技者の回答が不正解となったことをナビゲーション演出の条件とすることで、遊技者が選択演出に回答したことへの特典としてナビゲーション演出を提供でき、また遊技者の回答が不正解であった場合の救済措置を提供できる。
【０１４９】
第２の変形例を説明する。
上記の第１実施例における演出決定手段１３２は、特別遊技終了後に保留内連荘が発生する場合に、先に実行した選択演出に対する遊技者の正否状況に応じて、今回の選択演出における正解確率を、通常の正解確率（連荘時正解確率）とは異なる値に調整してもよい。同様に第２実施例における演出決定手段１３２は、特別遊技終了後の通常遊技が確変状態となる場合に、先に実行した選択演出に対する遊技者の正否状況に応じて、今回の選択演出における正解確率を、通常の正解確率（確変時正解確率）とは異なる値に調整してもよい。例えば、通常の連荘時正解確率および確変時正解確率が３分の２である場合、今回の選択演出における正解確率を３分の３としてもよい。また、通常の連荘時正解確率および確変時正解確率が４分の２である場合、今回の選択演出における正解確率を４分の３としてもよい。この変形例によると、遊技者の回答が不正解であった場合の救済措置を提供でき、また不正解となることにより選択演出に対する遊技者の期待感が低下してしまうことを防止しやすくなる。
【０１５０】
また、先に実行した選択演出に対して制限時間内に未回答であった場合は、今回の選択演出における正解確率として、通常の連荘時正解確率および確変時正解確率を使用してもよい。すなわち、選択演出に未回答の場合は救済措置を提供しないこととしてもよい。さらにまた、先に実行した選択演出に対して制限時間内に未回答であった場合は、今回の選択演出における正解確率として、通常の連荘時正解確率および確変時正解確率（例えば３分の２）より低い値（例えば３分の１）を設定してもよい。すなわち、選択演出に未回答の場合は遊技者にペナルティを課してもよい。この態様によると、選択演出に未回答の場合は結果として遊技者の利益が損なわれることとなるため、選択演出に対する回答を促進することができる。
【０１５１】
第３の変形例を説明する。
上記の各実施例では１５Ｒ特別遊技の実行中に所定確率で選択演出を行うこととした。変形例では、２Ｒ特別遊技終了後の通常遊技実行中にも所定確率で選択演出を行ってもよい。具体的には、２Ｒ特別遊技が終了した場合、第１パターン決定手段１１４および第２パターン決定手段１１９は、所定回数（例えば１回）の図柄変動において参照すべき特殊変動パターンテーブルを参照して特別図柄の変動パターンを決定してもよい。
【０１５２】
第１実施例に対応する特殊変動パターンテーブルは、選択演出および保留内連荘報知演出の実行に要する時間以上の変動時間を有する特殊変動パターンを定める。第１実施例の演出決定手段１３２は、メイン基板１０２において特殊変動パターンが選択された場合に、現在時点での大当りの保留状況に応じて選択演出の正解条件を決定し、選択演出を表示させる。そして、遊技者の回答が正解であった場合には保留内連荘報知演出を表示させ、以降の図柄変動では継続演出を表示させる。遊技者の回答が不正解であった場合も第１実施例と同様である。
【０１５３】
第２の実施例に対応する特殊変動パターンテーブルは、選択演出および確変報知演出の実行に要する時間以上の変動時間を有する特殊変動パターンを定める。第２実施例の演出決定手段１３２は、メイン基板１０２において特殊変動パターンが選択された場合に、現在の遊技状態が確変状態か否かに応じて選択演出の正解条件を決定し、選択演出を表示させる。そして、遊技者の回答が正解であった場合には確変報知演出を表示させ、以降の図柄変動では確変演出テーブルを参照して演出内容を決定する。遊技者の回答が不正解であった場合も第２実施例と同様である。
【０１５４】
第３の変形例において２Ｒ特別遊技終了後の通常遊技実行中に所定確率で選択演出を行う場合、小当り遊技終了後の通常遊技実行中にも所定確率で選択演出を行うことが好ましい。２Ｒ特別遊技終了後と同様に、小当り遊技終了後、第１パターン決定手段１１４および第２パターン決定手段１１９は、所定回数（例えば１回）の図柄変動において参照すべき特殊変動パターンテーブルを参照して、選択演出および報知演出（保留内連荘報知演出もしくは確変報知演出）の時間を確保するための図柄変動時間を定めた特別図柄の変動パターンを決定してもよい。小当り時の選択演出に対して、演出決定手段１３２は、遊技者の選択結果にかかわらず、遊技者の回答を不正解とする正解条件を定めてもよい。この態様によると、小当りの場合にも選択演出を行うことで、２Ｒ大当りと小当りとの外観上の識別を困難なものにして遊技者の緊張感や期待感を一層煽ることができる。
【０１５５】
第４の変形例を説明する。
上記の各実施例においては、第１種ぱちんこ遊技機に相当する遊技が複数混在する構成を例にして説明した。変形例においては、第１種ぱちんこ遊技機の構成、すなわち複数を混在させていない構成にて実現してもよい。
【０１５６】
第５の変形例を説明する。
上記の各実施例においては、第２特別図柄１９３に対して保留する当否抽選を優先的に消化する例を説明した。変形例においては、第１特別図柄１９２に対して保留する当否抽選を優先的に消化する構成としてもよい。この場合、第２特別図柄１９３より第１特別図柄１９２が優先的に図柄変動が実行され、第１特別図柄１９２の保留抽選値がなくならない限り第２特別図柄１９３の図柄変動が止まったままとなる。また、第１特別図柄１９２に対して保留する当否抽選と、第２特別図柄１９３に対して保留する当否抽選を、それぞれが第１始動入賞口６２または第２始動入賞口６３へ入球した順に消化する構成としてもよい。入球順に消化する構成の場合、第１実施例においては、保留内連荘報知演出後、図柄変動回数が保留上限数に到達するまでに大当りが発生することを保証できる。
【０１５７】
第６の変形例を説明する。
上記の各実施例においては、第１始動入賞口６２を遊技領域５２の略中央近辺に設け、第２始動入賞口６３を遊技領域５２の右方に設け、互いに距離を離して設置する構成を例示した。変形例においては、第２始動入賞口６３を第１始動入賞口６２の直下に配置し、普通電動役物６５が拡開されず閉鎖されているときは第１始動入賞口６２によりの存在により第２始動入賞口６３へ遊技球が入球困難な構成としてもよい。その場合、普通電動役物６５が拡開されてはじめて第２始動入賞口６３へ入球可能となってもよい。
【０１５８】
第７の変形例を説明する。
上記の各実施例においては、特別遊技の終了後、次の大当りが発生するまで確変状態が継続する例を説明した。変形例においては、特別遊技終了後の通常遊技において、図柄変動回数が所定回数（５０回等）に到達するまでに次の大当りが発生しない場合、言い換えれば、次の大当りが発生することなく所定回数の図柄変動が終了した場合に、確変状態を終了させる構成であってもよい。すなわち、いわゆるＳＴ機とも呼ばれる、回数打ち切り式の確率変動を実行する構成であってもよい。
【０１５９】
また上記の各実施例においては、特別図柄によってラウンド数、確変・非確変、時短回数が定められることとした。しかしこの態様に限られるものではない。例えば、共通の第１特別図柄１９２（もしくは第２特別図柄１９３）が確変移行を伴う１５Ｒ大当りと確変移行を伴わない１５Ｒ大当りの両方を示すものであってもよい。この場合、メイン基板１０２からサブ基板１０４へ送信される情報には、当否抽選結果・図柄抽選結果に加えて、確変状態への移行有無を示す情報が含まれてもよい。図柄抽選結果として、確変移行を伴う１５Ｒ大当りと確変移行を伴わない１５Ｒ大当りの両方に共通の特別図柄を示す情報を受け付けた場合、演出表示制御手段１３４は、確変移行が発生するか否かを遊技者に明示しない態様の特別遊技演出を実行してもよい。演出決定手段１３２は、選択演出の実行を決定した場合、メイン基板１０２から通知された確変状態への移行有無を示す情報にしたがって、その選択演出の正解条件を決定してもよい。
【符号の説明】
【０１６０】
５０  遊技盤、  ５２  遊技領域、  ６２  第１始動入賞口、  ６３  第２始動入賞口、  ８２  操作ボタン、  １１４  第１パターン決定手段、  １１９  第２パターン決定手段、  １２０  特別遊技制御手段、  １２２  特定遊技実行手段、  １３０  演出記憶手段、  １３１  演出テーブル記憶手段、  １３２  演出決定手段、  １３３  操作検出手段、  １３４  演出表示制御手段、  １７１  特別遊技演出制御手段。
【図１】
0005943459.tif 000002
【図２】
0005943459.tif 000003
【図３】
0005943459.tif 000004
【図４】
0005943459.tif 000005
【図５】
0005943459.tif 000006
【図６】
0005943459.tif 000007
【図７】
0005943459.tif 000008
【図８】
0005943459.tif 000009
【図９】
0005943459.tif 000010
【図１０】
0005943459.tif 000011
【図１１】
0005943459.tif 000012
【図１２】
0005943459.tif 000013
【図１３】
0005943459.tif 000014
【図１４】
0005943459.tif 000015
【図１５】
0005943459.tif 000016
【図１６】
0005943459.tif 000017
【図１７】
0005943459.tif 000018
【図１８】
0005943459.tif 000019
【図１９】
0005943459.tif 000020
【図２０】
0005943459.tif 000021
【図２１】
0005943459.tif 000022
【図２２】
0005943459.tif 000023
【図２３】
0005943459.tif 000024